(57)【要約】  指示受付部（１８０）が第１指示を受付けた場合、電源制御部（１５０）は、第１電源部（１２１）に第１取得部（１１１）へ電力を供給させるとともに、第２取得部（１１２）へ電力を供給させないように第２電源部（１２２）を制御する。再生部（１４０）は、第１取得部（１１１）が取得した第１コンテンツを再生する。再生部（１４０）が第１コンテンツを再生している再生期間において、所定条件が満たされた場合、電源制御部（１５０）は、再生期間において、第２電源部（１２２）に第２取得部（１１２）へ電力を供給させる。指示受付部（１８０）が第２指示を受付けた場合、再生部（１４０）は第２取得部（１１２）が取得した第２コンテンツを再生し、電源制御部（１５０）は第１電源部（１２１）に第１取得部（１１１）への電力供給を停止させる。
2011067874.tif 000002
【特許請求の範囲】
【請求項１】
電力が供給されている期間において動作し、コンテンツを取得するための第１取得部および第２取得部と、
前記第１取得部へ電力を供給するための第１電源部と、
前記第２取得部へ電力を供給するための第２電源部と、
前記第１電源部および前記第２電源部の各々の電力供給を制御するための電源制御部と、
前記第１取得部が取得するコンテンツである第１コンテンツ、および前記第２取得部が取得するコンテンツである第２コンテンツのいずれかを再生するための再生部と、
前記第１コンテンツまたは前記第２コンテンツを前記再生部に再生させるための指示を受付けるための指示受付部とを備え、
前記電源制御部は、前記指示受付部が前記第１コンテンツを前記再生部に再生させるための指示である第１指示を受付けた場合、前記第１電源部に前記第１取得部へ電力を供給させるとともに、前記第２取得部へ電力を供給させないように前記第２電源部を制御し、
前記第１取得部は、前記第１電源部から電力が供給される期間において、前記第１コンテンツを取得し、
前記再生部は、前記指示受付部が前記第１指示を受付けた場合、前記第１取得部が取得した前記第１コンテンツを再生し、
前記電源制御部は、前記再生部が前記第１コンテンツを再生している再生期間において、前記第１コンテンツの再生状況に関する所定条件が満たされた場合、前記再生期間において、前記第２電源部に前記第２取得部へ電力を供給させ、
前記第２取得部は、前記第２電源部から電力が供給される期間において、前記指示受付部が前記第２コンテンツを前記再生部に再生させるための指示である第２指示を受付けた場合、前記第２コンテンツを取得し、
前記再生部は、前記第２取得部が取得した前記第２コンテンツを再生し、
前記電源制御部は、前記指示受付部が前記第２指示を受付けた場合、前記第１電源部に前記第１取得部への電力供給を停止させる、
コンテンツ再生装置。
【請求項２】
前記所定条件は、前記第１コンテンツのうちの終了近傍の部分を、前記再生部が再生しているという条件であり、
前記電源制御部は、前記所定条件が満たされたか否かを判定する、
請求項１に記載のコンテンツ再生装置。
【請求項３】
前記第１取得部は、外部から配信されるコンテンツを受信することにより該コンテンツを取得し、
前記所定条件は、前記第１取得部が受信する前記第１コンテンツの受信感度が所定値以下である期間が所定時間継続したという条件であり、
前記所定値は、前記第１取得部が受信する前記第１コンテンツを前記再生部が正常に再生できない場合における値であり、
前記電源制御部は、前記所定条件が満たされたか否かを判定する、
請求項１に記載のコンテンツ再生装置。
【請求項４】
前記所定条件は、所定時間において前記再生部が再生するコンテンツを変更した回数が、所定の閾値以上であるという条件であり、
前記電源制御部は、前記所定条件が満たされたか否かを判定する、
請求項１に記載のコンテンツ再生装置。
【請求項５】
前記第１コンテンツは、放送波により提供されるコンテンツである、
請求項２〜４のいずれかに記載のコンテンツ再生装置。
【請求項６】
前記第２コンテンツは、ネットワークにより提供されるコンテンツである、
請求項５に記載のコンテンツ再生装置。
【請求項７】
前記第１コンテンツは、ネットワークにより提供されるコンテンツである、
請求項２〜４のいずれかに記載のコンテンツ再生装置。
【請求項８】
前記第２コンテンツは、放送波により提供されるコンテンツである、
請求項７に記載のコンテンツ再生装置。
【請求項９】
電力が供給されている期間において動作し、コンテンツを取得するための第１取得部および第２取得部と、
前記第１取得部へ電力を供給するための第１電源部と、
前記第２取得部へ電力を供給するための第２電源部と、
前記第１電源部および前記第２電源部の各々の電力供給を制御するための電源制御部と、
前記第１取得部が取得するコンテンツである第１コンテンツ、および前記第２取得部が取得するコンテンツである第２コンテンツのいずれかを再生するための再生部と、
前記第１コンテンツまたは前記第２コンテンツを前記再生部に再生させるための指示を受付けるための指示受付部とを備えるコンテンツ再生装置により実行される電力制御方法であって、
前記指示受付部が前記第１コンテンツを前記再生部に再生させるための指示である第１指示を受付けた場合、前記電源制御部が、前記第１電源部に前記第１取得部へ電力を供給させるとともに、前記第２取得部へ電力を供給させないように前記第２電源部を制御するステップと、
前記指示受付部が前記第１指示を受付けた場合、前記再生部が、前記第１取得部が取得した前記第１コンテンツを再生するステップと、
前記再生部が前記第１コンテンツを再生している再生期間において、前記第１コンテンツの再生状況に関する所定条件が満たされた場合、前記電源制御部が、前記再生期間において、前記第２電源部に前記第２取得部へ電力を供給させるステップと、
前記指示受付部が前記第２コンテンツを前記再生部に再生させるための指示である第２指示を受付けた場合、前記再生部が、前記第２取得部が取得した前記第２コンテンツを再生するステップと、
前記指示受付部が前記第２指示を受付けた場合、前記電源制御部が、前記第１電源部に前記第１取得部への電力供給を停止させるステップとを含む、
電力制御方法。
【発明の詳細な説明】
【技術分野】
【０００１】
本発明は、複数種類のコンテンツを再生するためのコンテンツ再生装置および電力制御方法に関する。
【背景技術】
【０００２】
近年、ユーザが携帯可能な携帯端末装置が普及しつつある。携帯端末装置は、一般的には、二次電池等に蓄えられた限られた電力で動作する。そのため、消費電力を抑えるための様々な技術が開示されている。【０００３】
特許文献１では、電話通信網を利用してデータ通信を行う処理部と、無線ＬＡＮ（Wireless Local Area Network）を利用してデータ通信を行う無線ＬＡＮＩ／Ｆ（Interface）とを有する情報端末において、必要なときのみ無線ＬＡＮＩ／Ｆを起動させることにより、消費電力を抑える技術（以下、従来技術Ａという）が開示されている。
【先行技術文献】
【特許文献】
【０００４】
【特許文献１】特開２００５−１０９８５０号公報
【発明の概要】
【発明が解決しようとする課題】
【０００５】
しかしながら、異なる２種類のコンテンツを再生する機能を有するコンテンツ再生装置において、従来技術Ａを利用した場合、以下の問題点が生じる。【０００６】
ここで、放送波により提供されるコンテンツと、無線通信により提供されるコンテンツとを再生する機能を有する携帯端末装置（以下、コンテンツ再生装置Ａという）における処理を説明する。以下においては、放送波により提供されるコンテンツを、放送コンテンツという。また、以下においては、無線通信により提供されるコンテンツを、ネットワークコンテンツという。【０００７】
コンテンツ再生装置Ａは、例えば、放送コンテンツを取得するための取得部Ａと、ネットワークコンテンツを取得するための取得部Ｂとを有する。取得部Ａは、例えば、チューナー等を有する。取得部Ｂは、例えば、無線ＬＡＮを利用した通信機能を有する。放送コンテンツおよびネットワークコンテンツは、それぞれ、取得部Ａおよび取得部Ｂにより独立して取得されるコンテンツである。【０００８】
このような、コンテンツ再生装置Ａにおいて、消費電力を抑えるためには、例えば、従来技術Ａを利用して、再生中のコンテンツを取得する取得部のみに電力供給を行い、他方の取得部には電力供給を行わないようにする制御が考えられる。【０００９】
しかしながら、コンテンツ再生装置Ａが再生するコンテンツを、例えば、放送コンテンツからネットワークコンテンツに切替えるための操作をユーザが行った場合、上記のように一方の取得部のみに電力供給を行うような制御が行われていると、以下のような問題点が生じる。【００１０】
ここで、一例として、コンテンツ再生装置Ａは、放送コンテンツを再生しているとする。また、取得部Ａには電力が供給されており、取得部Ｂには電力が供給されてないとする。また、コンテンツ再生装置Ａが再生するコンテンツを、放送コンテンツからネットワークコンテンツに切替えるための操作をユーザが行ったとする。【００１１】
この場合、コンテンツ再生装置Ａが再生するコンテンツを、放送コンテンツからネットワークコンテンツに切替える際、取得部Ｂに電力を供給するための時間が必要となる。すなわち、取得部Ｂがネットワークコンテンツを取得するまでに時間がかかり、２つのコンテンツにおける再生の切り替えがスムーズでないという問題点が生じる。【００１２】
なお、上記問題点を解決するには、取得部Ａおよび取得部Ｂの両方へ常時電力供給することも考えられるが、これでは、消費電力が大きくなってしまう。【００１３】
本発明は、上述の問題点を解決するためになされたものであって、その目的は、消費電力を抑えつつ、独立して取得される複数のコンテンツにおける再生の切り替えをスムーズに行うことを可能とするコンテンツ再生装置等を提供することである。
【課題を解決するための手段】
【００１４】
上述の課題を解決するために、この発明のある局面に従うコンテンツ再生装置は、電力が供給されている期間において動作し、コンテンツを取得するための第１取得部および第２取得部と、前記第１取得部へ電力を供給するための第１電源部と、前記第２取得部へ電力を供給するための第２電源部と、前記第１電源部および前記第２電源部の各々の電力供給を制御するための電源制御部と、前記第１取得部が取得するコンテンツである第１コンテンツ、および前記第２取得部が取得するコンテンツである第２コンテンツのいずれかを再生するための再生部と、前記第１コンテンツまたは前記第２コンテンツを前記再生部に再生させるための指示を受付けるための指示受付部とを備える。前記電源制御部は、前記指示受付部が前記第１コンテンツを前記再生部に再生させるための指示である第１指示を受付けた場合、前記第１電源部に前記第１取得部へ電力を供給させるとともに、前記第２取得部へ電力を供給させないように前記第２電源部を制御し、前記第１取得部は、前記第１電源部から電力が供給される期間において、前記第１コンテンツを取得し、前記再生部は、前記指示受付部が前記第１指示を受付けた場合、前記第１取得部が取得した前記第１コンテンツを再生し、前記電源制御部は、前記再生部が前記第１コンテンツを再生している再生期間において、前記第１コンテンツの再生状況に関する所定条件が満たされた場合、前記再生期間において、前記第２電源部に前記第２取得部へ電力を供給させ、前記第２取得部は、前記第２電源部から電力が供給される期間において、前記指示受付部が前記第２コンテンツを前記再生部に再生させるための指示である第２指示を受付けた場合、前記第２コンテンツを取得し、前記再生部は、前記第２取得部が取得した前記第２コンテンツを再生し、前記電源制御部は、前記指示受付部が前記第２指示を受付けた場合、前記第１電源部に前記第１取得部への電力供給を停止させる。【００１５】
すなわち、指示受付部が第１コンテンツを再生部に再生させるための第１指示を受付けた場合、電源制御部は、第１電源部に第１取得部へ電力を供給させるとともに、第２取得部へ電力を供給させないように第２電源部を制御する。再生部は、第１取得部が取得した第１コンテンツを再生する。再生部が第１コンテンツを再生している再生期間において、第１コンテンツの再生状況に関する所定条件が満たされた場合、電源制御部は、再生期間において、第２電源部に第２取得部へ電力を供給させる。第２取得部は電力が供給される期間において、前記指示受付部が第２指示を受付けた場合、第２コンテンツを取得する。再生部は、第２取得部が取得した第２コンテンツを再生し、電源制御部は、指示受付部が第２指示を受付けた場合、第１電源部に第１取得部への電力供給を停止させる。【００１６】
つまり、第１コンテンツが再生されている期間において、所定条件が満たされた場合、第２取得部へ電力が供給される。すなわち、第１コンテンツの再生中に、第２取得部に電力が供給され、第２取得部は動作可能になる。そして、指示受付部が第２指示を受付けた場合、再生部は、第２取得部が取得した第２コンテンツを再生する。【００１７】
したがって、第１コンテンツから第２コンテンツへの再生の切り替えの際において、第２取得部は動作可能な状態であるため、第１コンテンツから第２コンテンツへの再生の切り替えをスムーズに行うことができる。第１コンテンツおよび第２コンテンツは、それぞれ、第１取得部および第２取得部により独立して取得されるコンテンツである。すなわち、独立して取得される２つのコンテンツにおける再生の切り替えをスムーズに行うことができる。【００１８】
また、電源制御部は、指示受付部が第２指示を受付けた場合、第１電源部に第１取得部への電力供給を停止させる。【００１９】
したがって、第１取得部および第２電源部の両方に電力が供給される期間は、所定条件が満たされた直後近辺から、指示受付部が第２指示を受付けた直後近辺までの期間である。そのため、第１取得部および第２電源部の両方に電力が供給される期間、すなわち、消費電力が大きい期間を極力短くすることができる。【００２０】
以上により、消費電力を抑えつつ、独立して取得される複数のコンテンツにおける再生の切り替えをスムーズに行うことができる。【００２１】
また、前記所定条件は、前記第１コンテンツのうちの終了近傍の部分を、前記再生部が再生しているという条件であり、前記電源制御部は、前記所定条件が満たされたか否かを判定することが好ましい。【００２２】
また、前記第１取得部は、外部から配信されるコンテンツを受信することにより該コンテンツを取得し、前記所定条件は、前記第１取得部が受信する前記第１コンテンツの受信感度が所定値以下である期間が所定時間継続したという条件であり、前記所定値は、前記第１取得部が受信する前記第１コンテンツを前記再生部が正常に再生できない場合における値であり、前記電源制御部は、前記所定条件が満たされたか否かを判定することが好ましい。【００２３】
また、前記所定条件は、所定時間において前記再生部が再生するコンテンツを変更した回数が、所定の閾値以上であるという条件であり、前記電源制御部は、前記所定条件が満たされたか否かを判定することが好ましい。【００２４】
また、前記第１コンテンツは、放送波により提供されるコンテンツであることが好ましい。【００２５】
また、前記第２コンテンツは、ネットワークにより提供されるコンテンツであることが好ましい。【００２６】
また、前記第１コンテンツは、ネットワークにより提供されるコンテンツであることが好ましい。【００２７】
また、前記第２コンテンツは、放送波により提供されるコンテンツであることが好ましい。【００２８】
この発明の他の局面に従う電力制御方法は、電力が供給されている期間において動作し、コンテンツを取得するための第１取得部および第２取得部と、前記第１取得部へ電力を供給するための第１電源部と、前記第２取得部へ電力を供給するための第２電源部と、前記第１電源部および前記第２電源部の各々の電力供給を制御するための電源制御部と、前記第１取得部が取得するコンテンツである第１コンテンツ、および前記第２取得部が取得するコンテンツである第２コンテンツのいずれかを再生するための再生部と、前記第１コンテンツまたは前記第２コンテンツを前記再生部に再生させるための指示を受付けるための指示受付部とを備えるコンテンツ再生装置により実行される。電力制御方法は、前記指示受付部が前記第１コンテンツを前記再生部に再生させるための指示である第１指示を受付けた場合、前記電源制御部が、前記第１電源部に前記第１取得部へ電力を供給させるとともに、前記第２取得部へ電力を供給させないように前記第２電源部を制御するステップと、前記指示受付部が前記第１指示を受付けた場合、前記再生部が、前記第１取得部が取得した前記第１コンテンツを再生するステップと、前記再生部が前記第１コンテンツを再生している再生期間において、前記第１コンテンツの再生状況に関する所定条件が満たされた場合、前記電源制御部が、前記再生期間において、前記第２電源部に前記第２取得部へ電力を供給させるステップと、前記指示受付部が前記第２コンテンツを前記再生部に再生させるための指示である第２指示を受付けた場合、前記再生部が、前記第２取得部が取得した前記第２コンテンツを再生するステップと、前記指示受付部が前記第２指示を受付けた場合、前記電源制御部が、前記第１電源部に前記第１取得部への電力供給を停止させるステップとを含む。【００２９】
なお、本発明は、このようなコンテンツ再生装置を構成する複数の構成要素の全てまたは一部を、システムＬＳＩ（Large Scale Integration：大規模集積回路）として実現してもよい。【００３０】
また、本発明は、電力制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【発明の効果】
【００３１】
本発明により、消費電力を抑えつつ、独立して取得される複数のコンテンツにおける再生の切り替えをスムーズに行うことができる。
【図面の簡単な説明】
【００３２】
【図１】図１は、コンテンツ再生装置の構成を示すブロック図である。
【図２】図２は、コンテンツ再生処理のフローチャートである。
【図３】図３は、コンテンツ再生処理Ａのフローチャートである。
【図４】図４は、一例としてのコンテンツ再生装置の外観図である。
【図５】図５は、変形例におけるコンテンツ再生装置の構成を示す図である。
【発明を実施するための形態】
【００３３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３４】
＜第１の実施の形態＞
図１は、コンテンツ再生装置１０００の構成を示すブロック図である。
【００３５】
コンテンツ再生装置１０００は、コンテンツを再生可能な装置である。本明細書において、コンテンツは、映像および音声を含むコンテンツであるとする。なお、コンテンツは、映像および音声の一方を含むコンテンツであってもよい。
【００３６】
本実施の形態において、コンテンツは、一例として、放送コンテンツ、ネットワークコンテンツであるとする。放送コンテンツは、放送波により提供されるコンテンツである。放送コンテンツは、一例として、デジタル放送波により提供されるコンテンツである。放送コンテンツは、図示しない放送局等から送信される。デジタル放送波は、地上デジタル放送の規格に基づく放送波である。
【００３７】
なお、デジタル放送波は、地上デジタル放送に限定されず、他のデジタル放送の規格に基づく放送波であってもよい。
【００３８】
放送コンテンツは、ＭＰＥＧ２−ＴＳ（Transport Stream）規格に基づく符号化方式により符号化されているとする。なお、放送コンテンツは、ＭＰＥＧ２−ＴＳ規格に限定されず、他の方式により符号化されているコンテンツであってもよい。
【００３９】
なお、放送コンテンツは、ワンセグ放送により提供されるコンテンツであってもよい。この場合、放送コンテンツは、例えば、Ｈ．２６４／ＡＶＣ規格に基づく符号化方式により符号化されている。
【００４０】
以下においては、あるチャンネルの番組の放送コンテンツを、放送番組コンテンツという。放送番組コンテンツは、対応する番組に関する情報（以下、番組情報という）を含む。番組情報は、対応する番組の終了時刻を示す。なお、番組情報は、番組の終了時刻以外の情報（番組のタイトル、番組の内容等）も示す。
【００４１】
本実施の形態において、ネットワークコンテンツは、一例として、ネットワークに接続されたコンテンツサーバーから、無線通信によりストリーム配信されるコンテンツであるとする。無線通信は、例えば、無線ＬＡＮ（Wireless Local Area Network）を利用して行われる。なお、無線通信は、無線ＬＡＮに限定されず、その他の技術を利用した通信であってもよい。
【００４２】
ネットワークコンテンツは、例えば、ＭＰＥＧ２−ＴＳ規格に基づく符号化方式により符号化されているとする。
【００４３】
ネットワークコンテンツは、当該ネットワークコンテンツに関する情報（以下、ネットコンテンツ情報という）を含む。ネットコンテンツ情報は、ネットワークコンテンツの再生時間（長さ）を示す。以下においては、ネットワークコンテンツの再生時間を、コンテンツ長ともいう。
【００４４】
なお、ネットコンテンツ情報は、再生時間以外の情報（ネットワークコンテンツのタイトル、内容等）も示す。
【００４５】
コンテンツ再生装置１０００は、一例として、携帯電話である。なお、コンテンツ再生装置１０００は、携帯電話に限定されることはない。コンテンツ再生装置１０００は、例えば、ＰＤＡ（Personal Digital Assistant）であってもよい。
【００４６】
図１を参照して、コンテンツ再生装置１０００は、第１取得部１１１と、第２取得部１１２と、第１電源部１２１と、第２電源部１２２と、制御部１３０と、再生部１４０と、電源制御部１５０と、受信状態検出部１６１，１６２と、タイマー１７０と、指示受付部１８０とを備える。
【００４７】
第１電源部１２１は、電源制御部１５０からの指示に応じて、第１取得部１１１および受信状態検出部１６１へ電力を供給する。第１取得部１１１に供給される電力は、受信状態検出部１６１に供給される電力よりも大きい。なお、第１取得部１１１に供給される電力は、受信状態検出部１６１に供給される電力と同じであってもよい。
【００４８】
第１取得部１１１および受信状態検出部１６１の各々は、第１電源部１２１から供給される電力により動作する。すなわち、第１取得部１１１および受信状態検出部１６１の各々は、第１電源部１２１から電力が供給されている期間のみ動作する。
【００４９】
第２電源部１２２は、電源制御部１５０からの指示に応じて、第２取得部１１２および受信状態検出部１６２へ電力を供給する。第２取得部１１２に供給される電力は、受信状態検出部１６２に供給される電力よりも大きい。なお、第２取得部１１２に供給される電力は、受信状態検出部１６２に供給される電力と同じであってもよい。
【００５０】
第２取得部１１２および受信状態検出部１６２の各々は、第２電源部１２２から供給される電力により動作する。すなわち、第２取得部１１２および受信状態検出部１６２の各々は、第２電源部１２２から電力が供給されている期間のみ動作する。
【００５１】
なお、制御部１３０、再生部１４０、電源制御部１５０、タイマー１７０および指示受付部１８０の各々は、図示しない電源部から常時電力が供給されている。
【００５２】
第１取得部１１１は、外部から配信される第１コンテンツを受信することにより該第１コンテンツを取得する。
【００５３】
第１コンテンツは、放送番組コンテンツまたはネットワークコンテンツである。なお、放送番組コンテンツは、放送コンテンツである。
【００５４】
第１コンテンツが放送番組コンテンツである場合、第１取得部１１１は、放送受信機能を有する。放送受信機能は、放送局から送信されるデジタル放送波（放送コンテンツ）を受信し、受信したデジタル放送波を復調することにより復調信号を取得し、当該復調信号から、制御部１３０により指示されたチャンネルの放送番組コンテンツ（放送コンテンツ）を取得する機能である。
【００５５】
第１コンテンツがネットワークコンテンツである場合、第１取得部１１１は、無線通信機能を有する。無線通信機能は、前述したコンテンツサーバーから、無線通信によりストリーム配信されるネットワークコンテンツを、無線ＬＡＮを利用して受信する機能である。なお、無線通信機能は、上記に限定されず、他の規格に基づく無線技術を使用する機能であってもよい。
【００５６】
第１取得部１１１は、第１コンテンツを、再生部１４０へ送信する。
【００５７】
第１取得部１１１は、第１コンテンツを取得するための処理を行うために、受信状態検出部１６１に供給される電力より大きな電力により動作する。
【００５８】
第２取得部１１２は、外部から配信される第２コンテンツを受信することにより該第２コンテンツを取得する。第２コンテンツは、ネットワークコンテンツまたは放送番組コンテンツである。第２コンテンツがネットワークコンテンツである場合、第２取得部１１２は、前述した無線通信機能を有する。また、第２コンテンツが放送番組コンテンツである場合、第２取得部１１２は、前述した放送受信機能を有する。
【００５９】
第２取得部１１２は、第２コンテンツを、再生部１４０へ送信する。
【００６０】
第２取得部１１２は、第２コンテンツを取得するための処理を行うために、受信状態検出部１６２に供給される電力より大きな電力により動作する。
【００６１】
なお、第１取得部１１１および第２取得部１１２の少なくとも一方が取得するコンテンツは、上記コンテンツに限定されず、例えば、メモリカード等の記録媒体に記録されたコンテンツであってもよい。
【００６２】
制御部１３０は、詳細は後述するが、第１取得部１１１および第２取得部１１２を制御する。
【００６３】
再生部１４０は、受信する第１コンテンツおよび第２コンテンツのいずれかを再生する。再生部１４０は、デコーダー１４１と、表示部１４２と、スピーカー１４３とを含む。
【００６４】
表示部１４２は、文字や画像等を表示する機能を有する。表示部１４２は、ＬＣＤパネル（Liquid Crystal Display Panel）を使用した装置である。なお、表示部１４２は、上記以外の表示方式のパネルを使用した装置であってもよい。
【００６５】
スピーカー１４３は、音声を出力する。
【００６６】
デコーダー１４１は、コンテンツ復号再生処理を行う。コンテンツ復号再生処理では、デコーダー１４１が、コンテンツ（第１または第２コンテンツ）を所定単位で復号する。当該所定単位は、例えば、１つのＧＯＰ（Group Of Pictures）である。デコーダー１４１は、コンテンツ（第１または第２コンテンツ）を所定単位で復号することにより映像データおよび音声データを得る。
【００６７】
デコーダー１４１は、映像データおよび音声データを取得する毎に、取得した映像データおよび音声データを、それぞれ、表示部１４２およびスピーカー１４３へ送信する。
【００６８】
表示部１４２は、受信した映像データに基づく映像を表示する。また、スピーカー１４３は、受信した音声データに基づく音声を出力する。これにより、コンテンツの一部が再生される。
【００６９】
デコーダー１４１は、コンテンツを所定単位で復号する処理を、当該コンテンツ全体の復号が終了するまで繰り返し行う。
【００７０】
以上のコンテンツ復号再生処理により、コンテンツ（第１または第２コンテンツ）全体が再生される。
【００７１】
また、コンテンツ復号再生処理では、デコーダー１４１が、第１または第２コンテンツを復号することにより、前述した番組情報またはネットコンテンツ情報を得る。そして、デコーダー１４１は、番組情報が示す番組の終了時刻、またはネットコンテンツ情報が示すコンテンツ長を、電源制御部１５０に通知する。
【００７２】
電源制御部１５０は、詳細は後述するが、第１電源部１２１および第２電源部１２２を制御する。また、電源制御部１５０は、第１電源部１２１および第２電源部１２２の各々の電力の供給状態を常に把握している。
【００７３】
受信状態検出部１６１は、第１取得部１１１が受信する第１コンテンツの受信状態を常に監視する。具体的には、受信状態検出部１６１は、第１取得部１１１が受信する第１コンテンツの受信感度を所定時間経過（例えば、１秒）毎に測定する。なお、受信感度の測定は、周知な技術により行われる。
【００７４】
以下においては、第１コンテンツの受信感度を、第１受信感度という。第１受信感度は、例えば、ＢＥＲ（Bit Error Rate）で示される。
【００７５】
受信状態検出部１６１は、第１受信感度を測定する毎に、最新の第１受信感度を、電源制御部１５０へ通知する。
【００７６】
受信状態検出部１６２は、第２取得部１１２が受信する第２コンテンツの受信状態を常に監視する。具体的には、受信状態検出部１６２は、第２取得部１１２が受信する第２コンテンツの受信感度を所定時間経過（例えば、１秒）毎に測定する。なお、受信感度の測定は、周知な技術により行われる。
【００７７】
以下においては、第２コンテンツの受信感度を、第２受信感度という。第２受信感度は、例えば、ＢＥＲ（Bit Error Rate）で示される。
【００７８】
受信状態検出部１６２は、第２受信感度を測定する毎に、最新の第２受信感度を、電源制御部１５０へ通知する。
【００７９】
タイマー１７０は、現在時刻を計測する。タイマー１７０は、現在時刻が変化する毎に、変化後の最新の現在時刻を、電源制御部１５０へ通知する。
【００８０】
指示受付部１８０は、コンテンツ再生装置１０００の外部に設けられた、図示しないボタンの操作（指示）を受付ける。当該ボタンの操作は、ユーザにより行われる操作である。以下においては、コンテンツ再生装置１０００の外部に設けられた、図示しないボタンの操作を、インターフェース操作Ｍという。
【００８１】
インターフェース操作Ｍは、ユーザにより行われる操作である。すなわち、指示受付部１８０は、ユーザによる操作（指示）を受付ける。指示受付部１８０は、インターフェース操作Ｍ（指示）を受付けると、当該インターフェース操作Ｍの情報を、制御部１３０および電源制御部１５０へ送信する。これにより、制御部１３０および電源制御部１５０の各々は、指示受付部１８０が受付けたインターフェース操作Ｍ（指示）に対応する処理を行う。
【００８２】
次に、コンテンツ再生装置１０００においてコンテンツを再生するための処理（以下、コンテンツ再生処理という）について説明する。
【００８３】
本実施の形態では、第１コンテンツおよび第２コンテンツは、それぞれ、放送番組コンテンツおよびネットワークコンテンツであるとする。
【００８４】
ここで、コンテンツ再生処理が行われる前は、コンテンツ再生装置１０００の電源はオフであるとする。
【００８５】
まず、電源オン操作が行われる。電源オン操作は、コンテンツ再生装置１０００の電源をオンにするためのインターフェース操作Ｍである。電源オン操作は、例えば、電源ボタンを押下する操作である。
【００８６】
これにより、コンテンツ再生装置１０００の電源がオンになる。コンテンツ再生装置１０００の電源がオンになると、表示部１４２に、メニュー画像としての再生コンテンツ選択画像が表示される。再生コンテンツ選択画像は、第１コンテンツおよび第２コンテンツのいずれかを再生対象のコンテンツとして選択するための画像である。
【００８７】
コンテンツ再生装置１０００の電源がオンになると、コンテンツ再生装置１０００に含まれる第１取得部１１１、受信状態検出部１６１、第２取得部１１２および受信状態検出部１６２以外の各部には電力が供給され、当該各部は前述した処理等を行う。電力が供給される当該各部は、制御部１３０、再生部１４０、電源制御部１５０、タイマー１７０および指示受付部１８０である。すなわち、コンテンツ再生装置１０００の電源がオンになった直後において、第１取得部１１１、受信状態検出部１６１、第２取得部１１２および受信状態検出部１６２には電力が供給されない。
【００８８】
この場合、タイマー１７０は、現在時刻が変化する毎に、変化後の最新の現在時刻を、電源制御部１５０へ通知する。
【００８９】
再生コンテンツ選択画像が表示されると、コンテンツ再生処理が行われる。
【００９０】
図２は、コンテンツ再生処理のフローチャートである。
【００９１】
ステップＳ１１では、指示受付部１８０が第１コンテンツ再生操作を受付けたか否かを判定する。第１コンテンツ再生操作は、第１コンテンツをコンテンツ再生装置１０００（再生部１４０）に再生させるためのインターフェース操作Ｍである。すなわち、第１コンテンツ再生操作は、第１コンテンツをコンテンツ再生装置１０００に再生させるための指示（以下、第１指示ともいう）である。
【００９２】
ステップＳ１１において、ＹＥＳならば処理はステップＳ１１０に移行する。一方、ステップＳ１１において、ＮＯならば、処理はステップＳ１２に移行する。
【００９３】
ステップＳ１２では、指示受付部１８０が第２コンテンツ再生操作を受付けたか否かを判定する。第２コンテンツ再生操作は、第２コンテンツをコンテンツ再生装置１０００に再生させるためのインターフェース操作Ｍである。すなわち、第２コンテンツ再生操作は、第２コンテンツをコンテンツ再生装置１０００（再生部１４０）に再生させるための指示（以下、第２指示ともいう）である。
【００９４】
ステップＳ１２において、ＹＥＳならば処理は後述するステップＳ２１０に移行する。一方、ステップＳ１２において、ＮＯならば、再度、ステップＳ１１の処理が行われる。
【００９５】
ここで、ユーザにより、第１コンテンツ再生操作（第１指示）が行われたとする。
【００９６】
この場合、指示受付部１８０は、第１コンテンツ再生操作（第１指示）を受付ける。そして、指示受付部１８０は、第１コンテンツ再生操作の情報を、制御部１３０および電源制御部１５０へ送信する。この場合、処理はステップＳ１１０に移行する。
【００９７】
ステップＳ１１０では、電源制御部１５０が、第１電力供給指示を、第１電源部１２１へ送信する。第１電力供給指示は、第１取得部１１１および受信状態検出部１６１へ電力を供給するための指示である。
【００９８】
第１電源部１２１は、第１電力供給指示を受信すると、第１取得部１１１および受信状態検出部１６１へ電力を供給する。
【００９９】
第１取得部１１１は、電力が供給されると、第１コンテンツを取得可能な状態になる。このとき、後述する第２コンテンツ再生処理が実行されている場合、第１取得部１１１は、第２コンテンツの再生中に、第１コンテンツを取得可能な状態になる。
【０１００】
受信状態検出部１６１は、電力が供給されている期間、前述したように、所定時間経過毎に第１受信感度を測定し、第１受信感度を測定する毎に、最新の第１受信感度を、電源制御部１５０へ通知する。
【０１０１】
また、電源制御部１５０は、第１電力供給指示の送信後、第２電力供給不可指示を、第２電源部１２２へ送信する。第２電力供給不可指示は、第２取得部１１２へ電力供給を行うことを不可とする指示である。すなわち、第２電力供給不可指示は、第２電源部１２２に第２取得部１１２へ電力を供給させないようにする指示である。
【０１０２】
第２電源部１２２は、第２電力供給不可指示を受信したときに、第２取得部１１２へ電力を供給している場合、第２取得部１１２への電力の供給を停止する。なお、第２電源部１２２は、第２電力供給不可指示を受信したときに、第２取得部１１２へ電力を供給していない場合は、何も行わない。
【０１０３】
ステップＳ１２０では、第１コンテンツ再生処理が実行される。第１コンテンツ再生処理は、他の処理とは独立して行われる。そして、処理は、ステップＳ１２１に移行する。
【０１０４】
なお、本実施の形態では、第１コンテンツは、放送番組コンテンツ（放送コンテンツ）である。
【０１０５】
第１コンテンツ再生処理では、まず、制御部１３０が、第１コンテンツ取得指示を、第１取得部１１１へ送信する。第１コンテンツ取得指示は、第１コンテンツを取得するための指示である。この場合、第１コンテンツ取得指示には、初期チャンネルが示される。初期チャンネルは、予め定められたチャンネルである。
【０１０６】
第１取得部１１１は、第１コンテンツ取得指示を受信すると、放送番組コンテンツ取得処理を行う。
【０１０７】
放送番組コンテンツ取得処理では、まず、第１取得部１１１が、放送局から送信されるデジタル放送波（放送コンテンツ）を受信し、受信したデジタル放送波を復調することにより復調信号を取得し、当該復調信号から、制御部１３０により指示されたチャンネル（初期チャンネル）の放送番組コンテンツを取得する。
【０１０８】
そして、第１取得部１１１は、放送番組コンテンツを、再生部１４０へ送信する。
【０１０９】
再生部１４０は、放送番組コンテンツを受信すると、放送番組コンテンツに対し、前述したコンテンツ復号再生処理を行うことにより、放送番組コンテンツを再生する。
【０１１０】
なお、再生部１４０は、後述する第２コンテンツ再生処理により、第２コンテンツの再生を行っているときに、放送番組コンテンツを受信すると、第２コンテンツ再生処理を終了する。すなわち、第１コンテンツの再生の開始とともに、第２コンテンツ再生処理は終了する。
【０１１１】
これにより、第２コンテンツから第１コンテンツへの再生の切り替えをスムーズに行うことができる。
【０１１２】
また、コンテンツ復号再生処理では、前述したように、デコーダー１４１が、放送番組コンテンツを復号することにより、前述した番組情報を取得し、番組情報が示す番組の終了時刻を、電源制御部１５０に通知する。
【０１１３】
なお、第１コンテンツ再生処理では、放送番組コンテンツが再生されているときに、ユーザによりチャンネル変更操作が行われると、以下のチャンネル変更処理が行われる。チャンネル変更操作は、チャンネルを変更するためのインターフェース操作Ｍである。チャンネル変更操作は、変更後のチャンネルを示す。
【０１１４】
チャンネル変更処理では、指示受付部１８０がチャンネル変更操作を受付け、チャンネル変更操作の情報を、制御部１３０へ送信する。チャンネル変更操作の情報は、変更後のチャンネルを示す。
【０１１５】
制御部１３０は、チャンネル変更操作の情報を受信すると、チャンネル変更指示を、第１取得部１１１へ送信する。チャンネル変更指示は、変更後のチャンネルを示す。
【０１１６】
第１取得部１１１は、チャンネル変更指示を受信すると、前述の放送番組コンテンツ取得処理と同様な処理を行うことにより、チャンネル変更指示に示される変更後のチャンネルの放送番組コンテンツを取得する。取得した当該放送番組コンテンツを再生するための処理は、前述した処理と同様なので詳細な説明は繰り返さない。これにより、放送番組コンテンツが、再生部１４０へ送信される。
【０１１７】
なお、この場合も、デコーダー１４１が、放送番組コンテンツを復号することにより、前述した番組情報を取得し、番組情報が示す番組の終了時刻を、電源制御部１５０に通知する。
【０１１８】
すなわち、電源制御部１５０は、デコーダー１４１から終了時刻が通知される回数が多い程、再生部１４０により再生されているコンテンツ（放送番組コンテンツ）が変更された回数が多いと判定する。すなわち、電源制御部１５０は、所定時間において、デコーダー１４１から終了時刻が通知される回数が、所定の閾値以上である場合、コンテンツの切替頻度が高い、すなわち、ザッピングされていると判定する。
【０１１９】
ステップＳ１２１では、電源制御部１５０が、第２電源部１２２が第２取得部１１２へ電力供給を行っているか否かを判定する。ステップＳ１２１において、ＹＥＳならば、処理はステップＳ１２２へ移行する。一方、ステップＳ１２１において、ＮＯならば、処理はステップＳ１３０に移行する。
【０１２０】
ステップＳ１２２では、電源制御部１５０が、第２電力供給停止指示を、第２電源部１２２へ送信する。第２電力供給停止指示は、第２取得部１１２および受信状態検出部１６２への電力供給を停止するための指示である。
【０１２１】
第２電源部１２２は、第２電力供給停止指示を受信すると、第２取得部１１２および受信状態検出部１６２への電力供給を停止する。第２取得部１１２および受信状態検出部１６２への電力供給が停止されるタイミングは、第１コンテンツの再生が開始された後である。そして、処理はステップＳ１３０に移行する。
【０１２２】
ステップＳ１３０では、第１受信感度低下期間が所定時間継続しているか否かが判定される。第１受信感度低下期間は、電源制御部１５０が受信状態検出部１６１から順次受信する最新の第１受信感度が第１所定値以下である期間である。第１所定値は、再生部１４０が、第１コンテンツを正常に再生できない場合における値である。第１コンテンツを正常に再生できない場合は、例えば、再生部１４０が第１コンテンツを再生することにより表示部１４２に表示される映像にノイズ等が生じる場合である。
【０１２３】
具体的には、電源制御部１５０が、順次受信する最新の第１受信感度が第１所定値以下である期間が所定時間（例えば、１分）継続したか否かを判定する。すなわち、電源制御部１５０は、第１コンテンツの再生状況に関する所定条件が満たされたか否かを判定する。この場合、所定条件は、順次受信する最新の第１受信感度が第１所定値以下である期間が所定時間（例えば、１分）継続したという条件である。
【０１２４】
ステップＳ１３０において、ＹＥＳならば、処理はステップＳ１４０に移行する。一方、ステップＳ１３０において、ＮＯならば、処理はステップＳ１３０Ｎに移行する。
【０１２５】
ステップＳ１３０でＹＥＳの場合は、映像にノイズが表示される期間が続くため、ユーザが、第２コンテンツをコンテンツ再生装置１０００に再生させる操作を行う可能性が高い場合である。すなわち、ステップＳ１３０でＹＥＳの場合は、第２コンテンツの再生が開始される可能性が高い場合である。
【０１２６】
ステップＳ１３０Ｎでは、コンテンツの切替頻度が高いか否かが判定される。具体的には、電源制御部１５０は、所定時間において、デコーダー１４１から終了時刻が通知される回数が、所定の閾値以上であるか否かを判定する。前述したように、電源制御部１５０は、デコーダー１４１から終了時刻が通知される回数が多い程、再生部１４０により再生されているコンテンツ（放送番組コンテンツ）が変更された回数が多いと判定する。
【０１２７】
電源制御部１５０は、所定時間において、デコーダー１４１から終了時刻が通知される回数が所定の閾値以上である場合、コンテンツ（放送番組コンテンツ）の切替頻度が高い、すなわち、ザッピングされていると判定する。
【０１２８】
ここで、一例として、所定時間は例えば５分であり、所定の閾値は、例えば、５であるとする。この場合、電源制御部１５０は、５分間において、デコーダー１４１から終了時刻が通知される回数が５回以上である場合、コンテンツの切替頻度が高い、すなわち、ザッピングされていると判定する。
【０１２９】
すなわち、電源制御部１５０は、第１コンテンツの再生状況に関する所定条件が満たされたか否かを判定する。この場合、所定条件は、所定時間において再生部１４０が再生するコンテンツを変更した回数が、所定の閾値以上であるという条件である。
【０１３０】
ステップＳ１３０Ｎにおいて、ＹＥＳならば、処理はステップＳ１４０に移行する。一方、ステップＳ１３０Ｎにおいて、ＮＯならば、処理は、ステップＳ１３１に移行する。
【０１３１】
ステップＳ１３０ＮでＹＥＳの場合は、コンテンツ（放送番組コンテンツ）の切替頻度が高い、すなわち、ザッピングされている状態であり、ユーザが、第２コンテンツをコンテンツ再生装置１０００に再生させる操作を行う可能性が高い場合である。すなわち、ステップＳ１３０ＮでＹＥＳの場合は、第２コンテンツの再生が開始される可能性が高い場合である。
【０１３２】
ステップＳ１３１では、第１コンテンツの終了付近が再生されているか否かが判定される。具体的には、電源制御部１５０が、第１コンテンツのうちの終了近傍の部分を、再生部１４０が再生しているか否かを判定する。さらに、具体的には、電源制御部１５０が、タイマー１７０から通知される最新の現在時刻から、デコーダー１４１から通知される最新の番組の終了時刻までの時間が、第１所定時間以下であるか否かが判定される。第１所定時間は、例えば、３０秒であるとする。
【０１３３】
すなわち、電源制御部１５０は、第１コンテンツの再生状況に関する所定条件が満たされたか否かを判定する。この場合、所定条件は、第１コンテンツのうちの終了近傍の部分を、再生部１４０が再生しているという条件である。
【０１３４】
ステップＳ１３１において、ＹＥＳならば、処理はステップＳ１４０に移行する。一方、ステップＳ１３１において、ＮＯならば、再度、ステップＳ１３０の処理が行われる。
【０１３５】
ステップＳ１３１でＹＥＳの場合は、第１コンテンツの再生が終了間近であるため、ユーザが、第２コンテンツをコンテンツ再生装置１０００に再生させる操作を行う可能性が高い場合である。すなわち、ステップＳ１３１でＹＥＳの場合は、第２コンテンツの再生が開始される可能性が高い場合である。
【０１３６】
ステップＳ１４０では、電源制御部１５０が、第２電力供給指示を、第２電源部１２２へ送信する。第２電力供給指示は、第２取得部１１２および受信状態検出部１６２へ電力を供給するための指示である。第２電源部１２２は、第２電力供給指示を受信すると、第２取得部１１２および受信状態検出部１６２へ電力を供給する。
【０１３７】
受信状態検出部１６２は、電力が供給されている期間、前述したように、所定時間経過毎に第２受信感度を測定し、第２受信感度を測定する毎に、最新の第２受信感度を、電源制御部１５０へ通知する。
【０１３８】
ステップＳ１５０では、指示受付部１８０が第２コンテンツ再生操作を受付けたか否かを判定する。第２コンテンツ再生操作は、第２コンテンツをコンテンツ再生装置１０００（再生部１４０）に再生させるためのインターフェース操作Ｍである。すなわち、第２コンテンツ再生操作は、第２コンテンツをコンテンツ再生装置１０００（再生部１４０）に再生させるための指示（以下、第２指示ともいう）である。
【０１３９】
ステップＳ１５０において、ＹＥＳならば、処理は後述するステップＳ２２０に移行する。一方、ステップＳ１５０において、ＮＯならば、処理はステップＳ１５１に移行する。
【０１４０】
ステップＳ１５１では、電源制御部１５０が、ステップＳ１４０の処理により第２取得部１１２へ電力が供給されてから、第２受付可能時間が経過したか否かを判定する。ここで、第２受付可能時間は、第２コンテンツ再生操作を受付可能な時間である。第２受付可能時間は、ユーザが少なくとも第２コンテンツ再生操作を行うのに必要な時間程度の短い時間である。第２受付可能時間は、例えば、１分である。
【０１４１】
ステップＳ１５１において、ＹＥＳならば、処理はステップＳ１６０に移行する。ステップＳ１５１において、ＮＯならば、再度、ステップＳ１５０の処理が行われる。
【０１４２】
ステップＳ１６０では、電源制御部１５０が、第２電力供給停止指示を、第２電源部１２２へ送信する。第２電力供給停止指示は、第２取得部１１２および受信状態検出部１６２への電力供給を停止するための指示である。
【０１４３】
第２電源部１２２は、第２電力供給停止指示を受信すると、第２取得部１１２および受信状態検出部１６２への電力供給を停止する。そして、再度、ステップＳ１３０の処理が行われる。
【０１４４】
以下においては、第１取得部１１１および第２取得部１１２の両方へ電力が供給される期間を、電力供給期間Ａという。電力供給期間Ａは、コンテンツ再生装置１０００の消費電力が大きい期間である。
【０１４５】
ステップＳ１４０〜Ｓ１６０の処理の間に、第２コンテンツ再生操作が行われない場合、電力供給期間Ａは、第２受付可能時間とほぼ同じ時間となる。
【０１４６】
以上のステップＳ１４０，Ｓ１５０，Ｓ１５１，Ｓ１６０の処理が行われることにより、電力供給期間Ａにおいて、第２コンテンツ再生操作がなかったとしても、消費電力が大きい電力供給期間Ａを、第２受付可能時間程度に抑えることができる。すなわち、ステップＳ１４０〜Ｓ１６０の処理が行われることにより、消費電力が大きい期間を極力短くすることができる。
【０１４７】
次に、ステップＳ１５０，Ｓ１５１の処理が繰り返し行われている期間において、第２コンテンツ再生操作が行われたとする。
【０１４８】
この場合、指示受付部１８０は、第２コンテンツ再生操作（第２指示）を受付ける。そして、指示受付部１８０は、第２コンテンツ再生操作の情報を、制御部１３０および電源制御部１５０へ送信する。この場合、処理はステップＳ２２０に移行する。
【０１４９】
ステップＳ２２０では、第２コンテンツ再生処理が実行される。第２コンテンツ再生処理は、他の処理とは独立して行われる。そして、処理は、ステップＳ２２１に移行する。
【０１５０】
なお、本実施の形態では、第２コンテンツは、ネットワークコンテンツである。
【０１５１】
第２コンテンツ再生処理では、まず、制御部１３０が、第２コンテンツ取得指示を、第２取得部１１２へ送信する。第２コンテンツ取得指示は、第２コンテンツを取得するための指示である。この場合、第２コンテンツ取得指示には、第２コンテンツを特定するための情報が示される。
【０１５２】
以下においては、コンテンツを特定するための情報を、コンテンツ特定情報という。上記の第２コンテンツを特定するための情報は、コンテンツ特定情報である。コンテンツ特定情報は、例えば、番号である。
【０１５３】
第２取得部１１２は、第２コンテンツ取得指示を受信すると、ネットワークコンテンツ取得処理を行う。
【０１５４】
ネットワークコンテンツ取得処理では、まず、第２取得部１１２が、前述したコンテンツサーバーに、コンテンツ特定情報により特定されるネットワークコンテンツを要求するためのコンテンツ要求を、当該コンテンツサーバーへ送信する。
【０１５５】
コンテンツサーバーは、コンテンツ要求を受信すると、要求されたネットワークコンテンツを、無線通信により、コンテンツ再生装置１０００へストリーム配信する。
【０１５６】
第２取得部１１２は、コンテンツサーバーからストリーム配信されるネットワークコンテンツを、無線通信機能により受信し、再生部１４０へ送信する。
【０１５７】
再生部１４０は、ネットワークコンテンツを受信すると、ネットワークコンテンツに対し、前述したコンテンツ復号再生処理を行うことにより、ネットワークコンテンツを再生する。
【０１５８】
なお、再生部１４０は、第１コンテンツ再生処理により、第１コンテンツの再生を行っているときに、ネットワークコンテンツを受信すると、第１コンテンツ再生処理を終了する。すなわち、第２コンテンツの再生の開始とともに、第１コンテンツ再生処理は終了する。
【０１５９】
これにより、第１コンテンツから第２コンテンツへの再生の切り替えをスムーズに行うことができる。
【０１６０】
また、コンテンツ復号再生処理では、前述したように、デコーダー１４１が、ネットワークコンテンツを復号することにより、前述したネットコンテンツ情報を取得し、ネットコンテンツ情報が示すコンテンツ長を、電源制御部１５０に通知する。コンテンツ長は、例えば、３０分である。
【０１６１】
以下においては、ネットワークコンテンツの再生が開始されてから、当該ネットワークコンテンツに対応するコンテンツ長だけ経過した時刻を、再生終了予定時刻という。
【０１６２】
なお、第２コンテンツ再生処理では、ネットワークコンテンツが再生されているときに、ユーザによりネットコンテンツ変更操作が行われると、以下のネットコンテンツ変更処理が行われる。ネットコンテンツ変更操作は、再生中のネットワークコンテンツを、他のネットワークコンテンツに変更するためのインターフェース操作Ｍである。ネットコンテンツ変更操作は、他のネットワークコンテンツを特定する変更コンテンツ特定情報を示す。
【０１６３】
ネットコンテンツ変更処理では、指示受付部１８０がネットコンテンツ変更操作を受付け、ネットコンテンツ変更操作の情報を、制御部１３０へ送信する。ネットコンテンツ変更操作の情報は、変更コンテンツ特定情報を示す。変更コンテンツ特定情報は、他のネットワークコンテンツを特定する情報（例えば、番号）である。
【０１６４】
制御部１３０は、ネットコンテンツ変更操作の情報を受信すると、ネットコンテンツ変更指示を、第２取得部１１２へ送信する。ネットコンテンツ変更指示は、他のネットワークコンテンツを特定する変更コンテンツ特定情報を示す。
【０１６５】
第２取得部１１２は、ネットコンテンツ変更指示を受信すると、前述のネットワークコンテンツ取得処理と同様な処理を行うことにより、ネットコンテンツ変更指示に示される変更コンテンツ特定情報により特定される他のネットワークコンテンツをコンテンツサーバーから取得する。取得した当該他のネットワークコンテンツを再生するための処理は、前述した処理と同様なので詳細な説明は繰り返さない。
【０１６６】
なお、この場合も、デコーダー１４１が、他のネットワークコンテンツを復号することにより、ネットコンテンツ情報を取得し、ネットコンテンツ情報が示すコンテンツ長を、電源制御部１５０に通知する。
【０１６７】
すなわち、電源制御部１５０は、デコーダー１４１からコンテンツ長が通知される回数が多い程、再生部１４０により再生されているコンテンツ（ネットワークコンテンツ）が変更された回数が多いと判定する。すなわち、電源制御部１５０は、所定時間において、デコーダー１４１からコンテンツ長が通知される回数が、所定の閾値以上である場合、コンテンツの切替頻度が高い、すなわち、ザッピングされていると判定する。
【０１６８】
ステップＳ２２１では、電源制御部１５０が、第１電源部１２１が第１取得部１１１へ電力供給を行っているか否かを判定する。ステップＳ２２１において、ＹＥＳならば、処理はステップＳ２２２へ移行する。ステップＳ２２１でＹＥＳの場合は、少なくともステップＳ１１０，Ｓ１５０の処理が行われた後、ステップＳ２２０の処理が行われる場合である。
【０１６９】
一方、ステップＳ２２１において、ＮＯならば、処理はステップＳ２３０に移行する。
【０１７０】
ステップＳ２２２では、電源制御部１５０が、第１電力供給停止指示を、第１電源部１２１へ送信する。第１電力供給停止指示は、第１取得部１１１および受信状態検出部１６１への電力供給を停止するための指示である。
【０１７１】
第１電源部１２１は、第１電力供給停止指示を受信すると、第１取得部１１１および受信状態検出部１６１への電力供給を停止する。第１取得部１１１および受信状態検出部１６１への電力供給が停止されるタイミングは、第２コンテンツの再生が開始された後である。そして、処理はステップＳ２３０に移行する。
【０１７２】
ステップＳ２３０では、第２受信感度低下期間が所定時間継続しているか否かが判定される。第２受信感度低下期間は、電源制御部１５０が受信状態検出部１６２から順次受信する最新の第２受信感度が第２所定値以下である期間である。第２所定値は、再生部１４０が、第２コンテンツを正常に再生できない場合における値である。第２コンテンツを正常に再生できない場合は、例えば、再生部１４０が第２コンテンツを再生することにより表示部１４２に表示される映像にノイズ等が生じる場合である。
【０１７３】
具体的には、電源制御部１５０が、順次受信する最新の第２受信感度が第２所定値以下である期間が所定時間（例えば、１分）継続したか否かを判定する。すなわち、電源制御部１５０は、第２コンテンツの再生状況に関する所定条件が満たされたか否かを判定する。この場合、所定条件は、順次受信する最新の第２受信感度が第２所定値以下である期間が所定時間（例えば、１分）継続したという条件である。
【０１７４】
ステップＳ２３０において、ＹＥＳならば、処理はステップＳ２４０に移行する。一方、ステップＳ２３０において、ＮＯならば、処理はステップＳ２３０Ｎに移行する。
【０１７５】
ステップＳ２３０でＹＥＳの場合は、映像にノイズが表示される期間が続くため、ユーザが、第１コンテンツをコンテンツ再生装置１０００に再生させる操作を行う可能性が高い場合である。すなわち、ステップＳ２３０でＹＥＳの場合は、第１コンテンツの再生が開始される可能性が高い場合である。
【０１７６】
ステップＳ２３０Ｎでは、コンテンツの切替頻度が高いか否かが判定される。具体的には、電源制御部１５０は、所定時間において、デコーダー１４１からコンテンツ長が通知される回数が、所定の閾値以上であるか否かを判定する。前述したように、電源制御部１５０は、デコーダー１４１からコンテンツ長が通知される回数が多い程、再生部１４０により再生されているコンテンツ（ネットワークコンテンツ）が変更された回数が多いと判定する。
【０１７７】
電源制御部１５０は、所定時間において、デコーダー１４１からコンテンツ長が通知される回数が所定の閾値以上である場合、コンテンツ（ネットワークコンテンツ）の切替頻度が高い、すなわち、ザッピングされていると判定する。
【０１７８】
ここで、所定時間は例えば５分であり、所定の閾値は、例えば、５であるとする。この場合、電源制御部１５０は、５分間において、デコーダー１４１からコンテンツ長が通知される回数が５回以上である場合、コンテンツの切替頻度が高い、すなわち、ザッピングされていると判定する。
【０１７９】
すなわち、電源制御部１５０は、第２コンテンツの再生状況に関する所定条件が満たされたか否かを判定する。この場合、所定条件は、所定時間において再生部１４０が再生するコンテンツを変更した回数が、所定の閾値以上であるという条件である。
【０１８０】
ステップＳ２３０Ｎにおいて、ＹＥＳならば、処理はステップＳ２４０に移行する。一方、ステップＳ２３０Ｎにおいて、ＮＯならば、処理は、ステップＳ２３１に移行する。
【０１８１】
ステップＳ２３０ＮでＹＥＳの場合は、コンテンツ（ネットワークコンテンツ）の切替頻度が高い、すなわち、ザッピングされている状態であり、ユーザが、第１コンテンツをコンテンツ再生装置１０００に再生させる操作を行う可能性が高い場合である。すなわち、ステップＳ２３０ＮでＹＥＳの場合は、第１コンテンツの再生が開始される可能性が高い場合である。
【０１８２】
ステップＳ２３１では、第２コンテンツの終了付近が再生されているか否かが判定される。具体的には、電源制御部１５０が、第２コンテンツのうちの終了近傍の部分を、再生部１４０が再生しているか否かを判定する。さらに、具体的には、電源制御部１５０が、タイマー１７０から通知される最新の現在時刻から、再生中のネットワークコンテンツに対応する再生終了予定時刻までの時間が、第２所定時間以下であるか否かが判定される。第２所定時間は、例えば、３０秒であるとする。
【０１８３】
すなわち、電源制御部１５０は、第２コンテンツの再生状況に関する所定条件が満たされたか否かを判定する。この場合、所定条件は、第２コンテンツのうちの終了近傍の部分を、再生部１４０が再生しているという条件である。
【０１８４】
ステップＳ２３１において、ＹＥＳならば、処理はステップＳ２４０に移行する。一方、ステップＳ２３１において、ＮＯならば、再度、ステップＳ２３０の処理が行われる。
【０１８５】
ステップＳ２３１でＹＥＳの場合は、第２コンテンツの再生が終了間近であるため、ユーザが、第１コンテンツをコンテンツ再生装置１０００に再生させる操作を行う可能性が高い場合である。すなわち、ステップＳ２３１でＹＥＳの場合は、第１コンテンツの再生が開始される可能性が高い場合である。
【０１８６】
ステップＳ２４０では、電源制御部１５０が、第１電力供給指示を、第１電源部１２１へ送信する。第１電力供給指示は、第１取得部１１１および受信状態検出部１６１へ電力を供給するための指示である。
【０１８７】
第１電源部１２１は、第１電力供給指示を受信すると、第１取得部１１１および受信状態検出部１６１へ電力を供給する。
【０１８８】
受信状態検出部１６１は、電力が供給されている期間、前述したように、所定時間経過毎に第１受信感度を測定し、第１受信感度を測定する毎に、最新の第１受信感度を、電源制御部１５０へ通知する。
【０１８９】
ステップＳ２５０では、指示受付部１８０が前述した第１コンテンツ再生操作（第１指示）を受付けたか否かを判定する。ステップＳ２５０において、ＹＥＳならば、再度、ステップＳ１２０の処理が行われる。一方、ステップＳ２５０において、ＮＯならば、処理はステップＳ２５１に移行する。
【０１９０】
ステップＳ２５１では、電源制御部１５０が、ステップＳ２４０の処理により第１取得部１１１へ電力が供給されてから、第１受付可能時間が経過したか否かを判定する。ここで、第１受付可能時間は、第１コンテンツ再生操作を受付可能な時間である。第１受付可能時間は、ユーザが少なくとも第１コンテンツ再生操作を行うのに必要な時間程度の短い時間である。第１受付可能時間は、例えば、１分である。
【０１９１】
ステップＳ２５１において、ＹＥＳならば、処理はステップＳ２６０に移行する。ステップＳ２５１において、ＮＯならば、再度、ステップＳ２５０の処理が行われる。
【０１９２】
ステップＳ２６０では、電源制御部１５０が、第１電力供給停止指示を、第１電源部１２１へ送信する。第１電力供給停止指示は、第１取得部１１１および受信状態検出部１６１への電力供給を停止するための指示である。
【０１９３】
第１電源部１２１は、第１電力供給停止指示を受信すると、第１取得部１１１および受信状態検出部１６１への電力供給を停止する。そして、再度、ステップＳ２３０の処理が行われる。
【０１９４】
前述したように、第１取得部１１１および第２取得部１１２の両方へ電力が供給される期間は、電力供給期間Ａである。電力供給期間Ａは、消費電力が大きい期間である。
【０１９５】
ステップＳ２４０〜Ｓ２６０の処理の間に、第１コンテンツ再生操作が行われない場合、電力供給期間Ａは、第１受付可能時間とほぼ同じ時間となる。
【０１９６】
以上のステップＳ２４０，Ｓ２５０，Ｓ２５１，Ｓ２６０の処理が行われることにより、電力供給期間Ａにおいて、第１コンテンツ再生操作がなかったとしても、消費電力が大きい電力供給期間Ａを、第１受付可能時間程度に抑えることができる。すなわち、ステップＳ２４０〜Ｓ２６０の処理が行われることにより、消費電力が大きい期間を極力短くすることができる。
【０１９７】
ここで、ステップＳ２５０，Ｓ２５１の処理が繰り返し行われている期間において、第１コンテンツ再生操作が行われたとする。
【０１９８】
この場合、指示受付部１８０は、第１コンテンツ再生操作（第１指示）を受付ける。そして、指示受付部１８０は、第１コンテンツ再生操作の情報を、制御部１３０および電源制御部１５０へ送信する。この場合、処理はステップＳ１２０に移行する。
【０１９９】
ステップＳ１２０では、前述した第１コンテンツ再生処理が実行される。第１コンテンツ再生処理は前述したので詳細な説明は繰り返さない。第１コンテンツ再生処理により、第２コンテンツから第１コンテンツへの再生の切り替えをスムーズに行うことができる。
【０２００】
その後、前述したステップＳ１２１，Ｓ１２２の処理が行われることにより、第２取得部１１２および受信状態検出部１６２への電力供給が停止される。
【０２０１】
なお、前述のステップＳ１２において、ＹＥＳと判定された場合、処理はステップＳ２１０に移行する。
【０２０２】
ステップＳ２１０では、電源制御部１５０が、第２電力供給指示を、第２電源部１２２へ送信する。第２電力供給指示は、第２取得部１１２および受信状態検出部１６２へ電力を供給するための指示である。
【０２０３】
第２電源部１２２は、第２電力供給指示を受信すると、第２取得部１１２および受信状態検出部１６２へ電力を供給する。
【０２０４】
第２取得部１１２は、電力が供給されると、第２コンテンツを取得可能な状態になる。このとき、第１コンテンツ再生処理が実行されている場合、第２取得部１１２は、第１コンテンツの再生中に、第２コンテンツを取得可能な状態になる。
【０２０５】
受信状態検出部１６２は、電力が供給されている期間、前述したように、所定時間経過毎に第２受信感度を測定し、第２受信感度を測定する毎に、最新の第２受信感度を、電源制御部１５０へ通知する。
【０２０６】
また、電源制御部１５０は、第２電力供給指示の送信後、第１電力供給不可指示を、第１電源部１２１へ送信する。第１電力供給不可指示は、第１取得部１１１へ電力供給を行うことを不可とする指示である。すなわち、第１電力供給不可指示は、第１電源部１２１に第１取得部１１１へ電力を供給させないようにする指示である。
【０２０７】
第１電源部１２１は、第１電力供給不可指示を受信したときに、第１取得部１１１へ電力を供給している場合、第１取得部１１１への電力の供給を停止する。なお、第１電源部１２１は、第１電力供給不可指示を受信したときに、第１取得部１１１へ電力を供給していない場合は、何も行わない。
【０２０８】
以上説明したように、本実施の形態においては、第１コンテンツの再生中において、所定条件が満たされた場合（Ｓ１３０、Ｓ１３０ＮまたはＳ１３１でＹＥＳ）、第２コンテンツを取得するための第２取得部１１２へ電力が供給される。すなわち、第１コンテンツの再生中に、第２取得部１１２に電力が供給され、第２取得部１１２が動作可能になる。
【０２０９】
そして、第２コンテンツ再生操作が行われた後、第２コンテンツ再生処理が実行されることにより、第１コンテンツから第２コンテンツへの再生の切り替えをスムーズに行うことができる。第１コンテンツおよび第２コンテンツは、それぞれ、第１取得部１１１および第２取得部１１２により独立して取得されるコンテンツである。すなわち、独立して取得される２つのコンテンツにおける再生の切り替えをスムーズに行うことができる。
【０２１０】
また、第２コンテンツの再生が開始された後に、第１取得部１１１および受信状態検出部１６１への電力供給が停止される。したがって、消費電力が大きい電力供給期間Ａを極力短くすることができる。
【０２１１】
すなわち、消費電力を抑えつつ、独立して取得される複数のコンテンツにおける再生の切り替えをスムーズに行うことができる。
【０２１２】
また、第１取得部１１１または第２取得部１１２に対する、電力供給と電力供給の停止とを頻繁に繰り返すような電源制御が行われた場合には、かえって消費電力が上がる場合がある。そこで、本実施の形態では、上述のＳ１３０や、Ｓ２３０のステップで説明したように、所定条件（所定時間の継続）が満たされていて始めて電源供給できるように構成する。これにより、頻繁な電源制御による不用意な消費電力の上昇も抑えることができる。
【０２１３】
また、本実施の形態においては、第２コンテンツの再生中において、所定条件が満たされた場合（Ｓ２３０、Ｓ２３０ＮまたはＳ２３１でＹＥＳ）、第１コンテンツを取得するための第１取得部１１１へ電力が供給される。すなわち、第２コンテンツの再生中に、第１取得部１１１に電力が供給され、第１取得部１１１が動作可能になる。
【０２１４】
そして、第１コンテンツ再生操作が行われた後、第１コンテンツ再生処理が実行されることにより、第２コンテンツから第１コンテンツへの再生の切り替えをスムーズに行うことができる。すなわち、独立して取得される２つのコンテンツにおける再生の切り替えをスムーズに行うことができる。
【０２１５】
また、第１コンテンツの再生が開始された後に、第２取得部１１２および受信状態検出部１６２への電力供給が停止される。したがって、消費電力が大きい電力供給期間Ａを極力短くすることができる。
【０２１６】
すなわち、消費電力を抑えつつ、独立して取得される複数のコンテンツにおける再生の切り替えをスムーズに行うことができる。そのため、複数のコンテンツにおける再生の切り替えが行われた場合でも、ユーザは、ストレスなく、表示部１４２に表示される映像を視聴することができる。
【０２１７】
＜第１の実施の形態の変形例＞
本実施の形態の変形例では、第１コンテンツおよび第２コンテンツは、それぞれ、ネットワークコンテンツおよび放送番組コンテンツであるとする。この場合において、コンテンツを再生するための処理（以下、コンテンツ再生処理Ａという）について説明する。
【０２１８】
本実施の形態の変形例におけるコンテンツ再生装置は、図１のコンテンツ再生装置１０００である。そのため、コンテンツ再生装置１０００の構成および機能の詳細な説明は繰り返さない。
【０２１９】
ここで、コンテンツ再生処理Ａが行われる前は、コンテンツ再生装置１０００の電源はオフであるとする。
【０２２０】
まず、第１の実施の形態と同様に、電源オン操作が行われる。これにより、コンテンツ再生装置１０００の電源がオンになり、表示部１４２に、前述した再生コンテンツ選択画像が表示される。
【０２２１】
コンテンツ再生装置１０００の電源がオンになると、コンテンツ再生装置１０００に含まれる第１取得部１１１、受信状態検出部１６１、第２取得部１１２および受信状態検出部１６２以外の各部には電力が供給され、当該各部は前述した処理等を行う。電力が供給される当該各部は、制御部１３０、再生部１４０、電源制御部１５０、タイマー１７０および指示受付部１８０である。すなわち、コンテンツ再生装置１０００の電源がオンになった直後において、第１取得部１１１、受信状態検出部１６１、第２取得部１１２および受信状態検出部１６２には電力が供給されない。
【０２２２】
この場合、タイマー１７０は、現在時刻が変化する毎に、変化後の最新の現在時刻を、電源制御部１５０へ通知する。
【０２２３】
再生コンテンツ選択画像が表示されると、コンテンツ再生処理Ａが行われる。前述したように、再生コンテンツ選択画像は、第１コンテンツおよび第２コンテンツのいずれかを再生対象のコンテンツとして選択するための画像である。
【０２２４】
図３は、コンテンツ再生処理Ａのフローチャートである。図３において、図２のステップ番号と同じステップ番号の処理は、第１の実施の形態で説明した処理と同様な処理が行われるので詳細な説明は繰り返さない。
【０２２５】
コンテンツ再生処理Ａでは、図２のコンテンツ再生処理と比較して、ステップＳ１２０，Ｓ１３１，Ｓ１３０Ｎ，Ｓ２２０，Ｓ２３０Ｎ，Ｓ２３１の代わりにステップＳ１２０Ａ，Ｓ１３１Ａ，Ｓ１３０Ａ，Ｓ２２０Ａ，Ｓ２３０Ａ，Ｓ２３１Ａが行われる点が異なる。
【０２２６】
ステップＳ１１，Ｓ１２の各々では、第１の実施の形態で説明した処理と同様な処理が行われる。
【０２２７】
ここで、第１コンテンツ再生操作（第１指示）が行われたとする。この場合、処理はステップＳ１１０に移行する。
【０２２８】
ステップＳ１１０では、第１の実施の形態で説明した処理と同様な処理が行われる。
【０２２９】
ステップＳ１２０Ａでは、第１コンテンツ再生処理Ａが実行される。第１コンテンツ再生処理Ａは、他の処理とは独立して行われる。そして、処理は、ステップＳ１２１に移行する。
【０２３０】
第１コンテンツ再生処理Ａは、図２のステップＳ２２０で行われる第２コンテンツ再生処理と同様であるので詳細な説明は繰り返さない。以下、簡単に説明する。
【０２３１】
第１コンテンツ再生処理Ａでは、まず、制御部１３０が、第１コンテンツ取得指示を、第１取得部１１１へ送信する。第１コンテンツ取得指示は、第１コンテンツを取得するための指示である。この場合、第１コンテンツ取得指示には、第１コンテンツを特定するためのコンテンツ特定情報が示される。
【０２３２】
第１取得部１１１は、第１コンテンツ取得指示を受信すると、ネットワークコンテンツ取得処理Ａを行う。
【０２３３】
ネットワークコンテンツ取得処理Ａでは、まず、第１取得部１１１が、前述したコンテンツサーバーに、コンテンツ特定情報により特定されるネットワークコンテンツを要求するためのコンテンツ要求を、当該コンテンツサーバーへ送信する。
【０２３４】
コンテンツサーバーは、コンテンツ要求を受信すると、要求されたネットワークコンテンツを、無線通信により、コンテンツ再生装置１０００へストリーム配信する。
【０２３５】
第１取得部１１１は、コンテンツサーバーからストリーム配信されるネットワークコンテンツを、無線通信機能により受信し、再生部１４０へ送信する。
【０２３６】
再生部１４０は、ネットワークコンテンツを受信すると、ネットワークコンテンツに対し、前述したコンテンツ復号再生処理を行うことにより、ネットワークコンテンツを再生する。
【０２３７】
なお、再生部１４０は、後述する第２コンテンツ再生処理Ａにより、第２コンテンツの再生を行っているときに、ネットワークコンテンツを受信すると、第２コンテンツ再生処理Ａを終了する。すなわち、第１コンテンツの再生の開始とともに、第２コンテンツ再生処理Ａは終了する。
【０２３８】
これにより、第２コンテンツから第１コンテンツへの再生の切り替えをスムーズに行うことができる。
【０２３９】
また、コンテンツ復号再生処理では、前述したように、デコーダー１４１が、ネットワークコンテンツを復号することにより、前述したネットコンテンツ情報を取得し、ネットコンテンツ情報が示すコンテンツ長を、電源制御部１５０に通知する。
【０２４０】
なお、第１コンテンツ再生処理Ａでは、ネットワークコンテンツが再生されているときに、ユーザによりネットコンテンツ変更操作が行われると、ネットコンテンツ変更処理Ａが行われる。ネットコンテンツ変更処理Ａは、前述したネットコンテンツ変更処理と同様な処理である。
【０２４１】
ネットコンテンツ変更処理Ａは、前述したネットコンテンツ変更処理の説明において、第２取得部１１２を第１取得部１１１と置き換えた説明の処理と同様であるので詳細な説明は繰り返さない。
【０２４２】
ネットコンテンツ変更処理Ａにより、電源制御部１５０は、デコーダー１４１からコンテンツ長が通知される回数が多い程、再生部１４０により再生されているコンテンツ（ネットワークコンテンツ）が変更された回数が多いと判定する。
【０２４３】
ステップＳ１２１，Ｓ１２２の各々では、第１の実施の形態で説明した処理と同様な処理が行われる。
【０２４４】
ステップＳ１３０では、第１の実施の形態で説明した処理と同様な処理が行われる。ステップＳ１３０において、ＹＥＳならば、処理はステップＳ１４０に移行する。一方、ステップＳ１３０において、ＮＯならば、処理はステップＳ１３０Ａに移行する。
【０２４５】
ステップＳ１３０Ａでは、図２のステップＳ２３０Ｎの処理と同様な処理が行われるので詳細な説明は行わない。以下、簡単に説明する。
【０２４６】
ステップＳ１３０Ａでは、コンテンツの切替頻度が高いか否かが判定される。具体的には、電源制御部１５０は、所定時間において、デコーダー１４１からコンテンツ長が通知される回数が、所定の閾値以上であるか否かを判定する。前述したように、電源制御部１５０は、デコーダー１４１からコンテンツ長が通知される回数が多い程、再生部１４０により再生されているコンテンツ（ネットワークコンテンツ）が変更された回数が多いと判定する。
【０２４７】
電源制御部１５０は、所定時間において、デコーダー１４１からコンテンツ長が通知される回数が所定の閾値以上である場合、コンテンツ（ネットワークコンテンツ）の切替頻度が高い、すなわち、ザッピングされていると判定する。
【０２４８】
すなわち、電源制御部１５０は、第１コンテンツの再生状況に関する所定条件が満たされたか否かを判定する。この場合、所定条件は、所定時間において再生部１４０が再生するコンテンツを変更した回数が、所定の閾値以上であるという条件である。
【０２４９】
ステップＳ１３０Ａにおいて、ＹＥＳならば、処理はステップＳ１４０に移行する。一方、ステップＳ１３０Ａにおいて、ＮＯならば、処理は、ステップＳ１３１Ａに移行する。
【０２５０】
ステップＳ１３１Ａでは、第１コンテンツの終了付近が再生されているか否かが判定される。具体的には、電源制御部１５０が、第１コンテンツのうちの終了近傍の部分を、再生部１４０が再生しているか否かを判定する。さらに、具体的には、電源制御部１５０が、タイマー１７０から通知される最新の現在時刻から、再生中のネットワークコンテンツに対応する再生終了予定時刻までの時間が、第１所定時間以下であるか否かが判定される。第１所定時間は、例えば、３０秒であるとする。
【０２５１】
すなわち、電源制御部１５０は、第１コンテンツの再生状況に関する所定条件が満たされたか否かを判定する。この場合、所定条件は、第１コンテンツのうちの終了近傍の部分を、再生部１４０が再生しているという条件である。
【０２５２】
ステップＳ１３１Ａにおいて、ＹＥＳならば、処理はステップＳ１４０に移行する。一方、ステップＳ１３１Ａにおいて、ＮＯならば、再度、ステップＳ１３０の処理が行われる。
【０２５３】
ステップＳ１４０では、第１の実施の形態で説明した処理と同様な処理が行われる。この処理により、第２電源部１２２は、第２電力供給指示を受信すると、第２取得部１１２および受信状態検出部１６２へ電力を供給する。
【０２５４】
ステップＳ１５０，Ｓ１５１，Ｓ１６０の各々では、第１の実施の形態で説明した処理と同様な処理が行われる。
【０２５５】
ここで、ステップＳ１５０，Ｓ１５１の処理が繰り返し行われている期間において、第２コンテンツ再生操作が行われたとする。この場合、ステップＳ２２０Ａの処理が行われる。
【０２５６】
ステップＳ２２０Ａでは、第２コンテンツ再生処理Ａが実行される。第２コンテンツ再生処理Ａは、他の処理とは独立して行われる。そして、処理は、ステップＳ２２１に移行する。
【０２５７】
第２コンテンツ再生処理Ａは、図２のステップＳ１２０で行われる第１コンテンツ再生処理と同様であるので詳細な説明は繰り返さない。以下、簡単に説明する。
【０２５８】
第２コンテンツ再生処理Ａでは、まず、制御部１３０が、第２コンテンツ取得指示を、第２取得部１１２へ送信する。
【０２５９】
第２取得部１１２は、第２コンテンツ取得指示を受信すると、放送番組コンテンツ取得処理Ａを行う。放送番組コンテンツ取得処理Ａは、前述の放送番組コンテンツ取得処理と同様なので詳細な説明は繰り返さない。以下、簡単に説明する。
【０２６０】
放送番組コンテンツ取得処理Ａでは、第２取得部１１２が、放送局から送信されるデジタル放送波（放送コンテンツ）を受信し、受信したデジタル放送波を復調することにより復調信号を取得し、当該復調信号から、制御部１３０により指示されたチャンネル（初期チャンネル）の放送番組コンテンツを取得する。
【０２６１】
そして、第２取得部１１２は、放送番組コンテンツを、再生部１４０へ送信する。
【０２６２】
再生部１４０は、放送番組コンテンツを受信すると、放送番組コンテンツに対し、前述したコンテンツ復号再生処理を行うことにより、放送番組コンテンツを再生する。
【０２６３】
なお、再生部１４０は、第１コンテンツ再生処理Ａにより、第１コンテンツの再生を行っているときに、放送番組コンテンツを受信すると、第１コンテンツ再生処理Ａを終了する。すなわち、第２コンテンツの再生の開始とともに、第１コンテンツ再生処理Ａは終了する。
【０２６４】
これにより、第１コンテンツから第２コンテンツへの再生の切り替えをスムーズに行うことができる。
【０２６５】
また、コンテンツ復号再生処理では、前述したように、デコーダー１４１が、放送番組コンテンツを復号することにより、前述した番組情報を取得し、番組情報が示す番組の終了時刻を、電源制御部１５０に通知する。
【０２６６】
なお、第２コンテンツ再生処理Ａでは、放送番組コンテンツが再生されているときに、ユーザによりチャンネル変更操作が行われると、チャンネル変更処理Ａが行われる。
【０２６７】
チャンネル変更処理Ａは、前述したチャンネル変更処理の説明において、第１取得部１１１を第２取得部１１２と置き換えた説明の処理と同様であるので詳細な説明は繰り返さない。
【０２６８】
チャンネル変更処理Ａにより、電源制御部１５０は、デコーダー１４１から終了時刻が通知される回数が多い程、再生部１４０により再生されているコンテンツ（放送番組コンテンツ）が変更された回数が多いと判定する。
【０２６９】
ステップＳ２２１，Ｓ２２２の各々では、第１の実施の形態で説明した処理と同様な処理が行われる。
【０２７０】
ステップＳ２３０では、第１の実施の形態で説明した処理と同様な処理が行われる。ステップＳ２３０において、ＹＥＳならば、処理はステップＳ２４０に移行する。一方、ステップＳ２３０において、ＮＯならば、処理はステップＳ２３０Ａに移行する。
【０２７１】
ステップＳ２３０Ａでは、ステップＳ１３０Ｎの処理と同様な処理が行われるので詳細な説明は行わない。以下、簡単に説明する。
【０２７２】
ステップＳ２３０Ａでは、コンテンツの切替頻度が高いか否かが判定される。具体的には、電源制御部１５０は、所定時間において、デコーダー１４１から終了時刻が通知される回数が、所定の閾値以上であるか否かを判定する。前述したように、電源制御部１５０は、デコーダー１４１から終了時刻が通知される回数が多い程、再生部１４０により再生されているコンテンツ（放送番組コンテンツ）が変更された回数が多いと判定する。
【０２７３】
すなわち、電源制御部１５０は、第２コンテンツの再生状況に関する所定条件が満たされたか否かを判定する。この場合、所定条件は、所定時間において再生部１４０が再生するコンテンツを変更した回数が、所定の閾値以上であるという条件である。
【０２７４】
ステップＳ２３０Ａにおいて、ＹＥＳならば、処理はステップＳ２４０に移行する。一方、ステップＳ２３０Ａにおいて、ＮＯならば、処理は、ステップＳ２３１Ａに移行する。
【０２７５】
ステップＳ２３１Ａでは、第２コンテンツの終了付近が再生されているか否かが判定される。具体的には、電源制御部１５０が、第２コンテンツのうちの終了近傍の部分を、再生部１４０が再生しているか否かを判定する。さらに、具体的には、電源制御部１５０が、タイマー１７０から通知される最新の現在時刻から、デコーダー１４１から通知される最新の番組の終了時刻までの時間が、第２所定時間以下であるか否かが判定される。第２所定時間は、例えば、３０秒であるとする。
【０２７６】
すなわち、電源制御部１５０は、第２コンテンツの再生状況に関する所定条件が満たされたか否かを判定する。この場合、所定条件は、第２コンテンツのうちの終了近傍の部分を、再生部１４０が再生しているという条件である。
【０２７７】
ステップＳ２３１Ａにおいて、ＹＥＳならば、処理はステップＳ２４０に移行する。一方、ステップＳ２３１Ａにおいて、ＮＯならば、再度、ステップＳ２３０の処理が行われる。
【０２７８】
ステップＳ２４０では、第１の実施の形態で説明した処理と同様な処理が行われる。この処理により、第１電源部１２１は、第１電力供給指示を受信すると、第１取得部１１１および受信状態検出部１６１へ電力を供給する。
【０２７９】
ステップＳ２５０，Ｓ２５１，Ｓ２６０の各々では、第１の実施の形態で説明した処理と同様な処理が行われる。
【０２８０】
ここで、ステップＳ２５０，Ｓ２５１の処理が繰り返し行われている期間において、第１コンテンツ再生操作が行われたとする。この場合、ステップＳ１２０Ａの処理が行われる。
【０２８１】
ステップＳ１２０Ａでは、前述した第１コンテンツ再生処理Ａが実行される。第１コンテンツ再生処理Ａは前述したので詳細な説明は繰り返さない。第１コンテンツ再生処理Ａにより、第２コンテンツから第１コンテンツへの再生の切り替えをスムーズに行うことができる。
【０２８２】
その後、前述したステップＳ１２１，Ｓ１２２が行われることにより、第２取得部１１２および受信状態検出部１６２への電力供給が停止される。
【０２８３】
以上説明したように、第１コンテンツおよび第２コンテンツが、それぞれ、ネットワークコンテンツおよび放送番組コンテンツである場合におけるコンテンツ再生処理Ａが行われる。
【０２８４】
これにより、本実施の形態の変形例においても、第１の実施の形態と同様な効果が得られる。すなわち、消費電力を抑えつつ、独立して取得される複数のコンテンツにおける再生の切り替えをスムーズに行うことができる。
【０２８５】
（コンテンツ再生装置の外観図）
図４は、一例としてのコンテンツ再生装置１０００の外観図である。図４は、コンテンツ再生装置１０００が、一例として、携帯電話である場合のコンテンツ再生装置１０００の外観図である。
【０２８６】
（その他の変形例）
第１コンテンツおよび第２コンテンツが、それぞれ、放送番組コンテンツおよびネットワークコンテンツである場合、第２取得部１１２は、第２コンテンツ再生処理におけるネットワークコンテンツ取得処理において、コンテンツサーバーにネットワークコンテンツを要求する処理を行っていたが、これに限定されない。
【０２８７】
例えば、図５に示されるように、コンテンツ再生装置１０００は、ネットワークコンテンツを取得するためのＵＲＬ（Uniform Resource Locator）を記憶するメモリ２００を備えてもよい。
【０２８８】
ここで、例えば、デコーダー１４１が、コンテンツ復号再生処理を行うことにより得られるネットコンテンツ情報（メタデータ）は、上記ＵＲＬも示すとする。
【０２８９】
この場合、デコーダー１４１は、コンテンツ復号再生処理によりＵＲＬが得られた場合、当該ＵＲＬを、メモリ２００に記憶させる。
【０２９０】
そして、例えば、図２のステップＳ２２０の第２コンテンツ再生処理において、第２取得部１１２が、メモリ２００に記憶されているＵＲＬにアクセスすることにより、ネットワークコンテンツを取得する。
【０２９１】
このような処理が行われることにより、第２取得部１１２は、迅速に、ネットワークコンテンツを取得することができる。
【０２９２】
また、図２のコンテンツ再生処理および図３のコンテンツ再生処理Ａの各々において判定される所定条件は、ステップＳ１３０，Ｓ１３０Ｎ，Ｓ１３１，Ｓ２３０，Ｓ２３０Ｎ，Ｓ２３１の処理で説明した条件に限定されない。
【０２９３】
当該所定条件は、再生中のコンテンツと異なる種類のコンテンツをコンテンツ再生装置１０００に再生させる操作を、ユーザが行う可能性が高くなる条件であればどのような条件であってもよい。
【０２９４】
なお、第１コンテンツ再生処理は、指示受付部１８０が第１コンテンツ再生操作を受付けた場合に実行されていたがこれに限定されない。指示受付部１８０が第１コンテンツ再生操作を受付けていなくても、第１取得部１１１が第１電源部１２１から電力が供給されることにより動作可能になった時点で、第１コンテンツ再生処理が実行されてもよい。これにより、指示受付部１８０が第１コンテンツ再生操作を受付けていなくても、第１取得部１１１は、第１コンテンツを取得する。
【０２９５】
また、第２コンテンツ再生処理は、指示受付部１８０が第２コンテンツ再生操作を受付けた場合に実行されていたがこれに限定されない。指示受付部１８０が第２コンテンツ再生操作を受付けていなくても、第２取得部１１２が第２電源部１２２から電力が供給されることにより動作可能になった時点で、第２コンテンツ再生処理が実行されてもよい。これにより、指示受付部１８０が第２コンテンツ再生操作を受付けていなくても、第２取得部１１２は、第２コンテンツを取得する。
【０２９６】
また、コンテンツ再生装置１０００が処理するコンテンツ（第１または第２コンテンツ）は、放送番組コンテンツおよびネットワークコンテンツに限定されることなく他のコンテンツであってもよい。コンテンツ再生装置１０００が処理するコンテンツは、例えば、記録媒体から読み出されたコンテンツ、映像のみのコンテンツ、音声のみのコンテンツであってもよい。
【０２９７】
また、第１コンテンツと第２コンテンツとは、異なる種類のコンテンツであるとしたが、第１コンテンツと第２コンテンツとは、同じ種類のコンテンツであってもよい。
【０２９８】
また、コンテンツ再生装置１０００は、２種類のコンテンツを取得するために、２つの取得部を備える構成としたが、これに限定されない。コンテンツ再生装置１０００は、３種類以上のコンテンツを取得するために、３つ以上の取得部を備える構成であってもよい。
【０２９９】
また、本発明におけるコンテンツ再生装置１０００について、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０３００】
また、上記のコンテンツ再生装置１０００を構成する複数の構成要素の全てまたは一部は、ハードウエアで構成されてもよい。また、上記のコンテンツ再生装置１０００を構成する構成要素の全てまたは一部は、ＣＰＵ（Central Processing Unit）等により実行されるプログラムのモジュールであってもよい。
【０３０１】
また、上記のコンテンツ再生装置１０００を構成する複数の構成要素の全てまたは一部は、１個のシステムＬＳＩ（Large Scale Integration：大規模集積回路）から構成されてもよい。システムＬＳＩは、複数の構成要素を１個のチップ上に集積して製造された超多機能ＬＳＩであり、具体的には、マイクロプロセッサ、ＲＯＭ（Read Only Memory）及びＲＡＭ（Random Access Memory）などを含んで構成されるコンピュータシステムである。
【０３０２】
例えば、図１において、制御部１３０および電源制御部１５０は、１個のシステムＬＳＩから構成されてもよい。
【０３０３】
また、本発明は、コンテンツ再生装置１０００が備える特徴的な構成部の動作をステップとする電力制御方法として実現してもよい。また、本発明は、そのような電力制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０３０４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０３０５】
本発明は、消費電力を抑えつつ、独立して取得される複数のコンテンツにおける再生の切り替えをスムーズに行うことを可能とするコンテンツ再生装置として、利用することができる。
【符号の説明】
【０３０６】
１１１  第１取得部
１１２  第２取得部
１２１  第１電源部
１２２  第２電源部
１３０  制御部
１４０  再生部
１４１  デコーダー
１４２  表示部
１４３  スピーカー
１５０  電源制御部
１６１，１６２  受信状態検出部
１７０  タイマー
１８０  指示受付部
２００  メモリ
１０００  コンテンツ再生装置 
【図１】
2011067874.tif 000003
【図２】
2011067874.tif 000004
【図３】
2011067874.tif 000005
【図４】
2011067874.tif 000006
【図５】
2011067874.tif 000007
【手続補正書】
【提出日】平成24年1月27日(2012.1.27)
【手続補正１】
【補正対象書類名】明細書
【補正対象項目名】全文
【補正方法】変更
【補正の内容】
【発明の詳細な説明】
【技術分野】
【０００１】
本発明は、複数種類のコンテンツを再生するためのコンテンツ再生装置および電力制御方法に関する。
【背景技術】
【０００２】
近年、ユーザが携帯可能な携帯端末装置が普及しつつある。携帯端末装置は、一般的には、二次電池等に蓄えられた限られた電力で動作する。そのため、消費電力を抑えるための様々な技術が開示されている。
【０００３】
特許文献１では、電話通信網を利用してデータ通信を行う処理部と、無線ＬＡＮ（Wireless Local Area Network）を利用してデータ通信を行う無線ＬＡＮＩ／Ｆ（Interface）とを有する情報端末において、必要なときのみ無線ＬＡＮＩ／Ｆを起動させることにより、消費電力を抑える技術（以下、従来技術Ａという）が開示されている。
【先行技術文献】
【特許文献】
【０００４】
【特許文献１】特開２００５−１０９８５０号公報
【発明の概要】
【発明が解決しようとする課題】
【０００５】
しかしながら、異なる２種類のコンテンツを再生する機能を有するコンテンツ再生装置において、従来技術Ａを利用した場合、以下の問題点が生じる。
【０００６】
ここで、放送波により提供されるコンテンツと、無線通信により提供されるコンテンツとを再生する機能を有する携帯端末装置（以下、コンテンツ再生装置Ａという）における処理を説明する。以下においては、放送波により提供されるコンテンツを、放送コンテンツという。また、以下においては、無線通信により提供されるコンテンツを、ネットワークコンテンツという。
【０００７】
コンテンツ再生装置Ａは、例えば、放送コンテンツを取得するための取得部Ａと、ネットワークコンテンツを取得するための取得部Ｂとを有する。取得部Ａは、例えば、チューナー等を有する。取得部Ｂは、例えば、無線ＬＡＮを利用した通信機能を有する。放送コンテンツおよびネットワークコンテンツは、それぞれ、取得部Ａおよび取得部Ｂにより独立して取得されるコンテンツである。
【０００８】
このような、コンテンツ再生装置Ａにおいて、消費電力を抑えるためには、例えば、従来技術Ａを利用して、再生中のコンテンツを取得する取得部のみに電力供給を行い、他方の取得部には電力供給を行わないようにする制御が考えられる。
【０００９】
しかしながら、コンテンツ再生装置Ａが再生するコンテンツを、例えば、放送コンテンツからネットワークコンテンツに切替えるための操作をユーザが行った場合、上記のように一方の取得部のみに電力供給を行うような制御が行われていると、以下のような問題点が生じる。
【００１０】
ここで、一例として、コンテンツ再生装置Ａは、放送コンテンツを再生しているとする。また、取得部Ａには電力が供給されており、取得部Ｂには電力が供給されてないとする。また、コンテンツ再生装置Ａが再生するコンテンツを、放送コンテンツからネットワークコンテンツに切替えるための操作をユーザが行ったとする。
【００１１】
この場合、コンテンツ再生装置Ａが再生するコンテンツを、放送コンテンツからネットワークコンテンツに切替える際、取得部Ｂに電力を供給するための時間が必要となる。すなわち、取得部Ｂがネットワークコンテンツを取得するまでに時間がかかり、２つのコンテンツにおける再生の切り替えがスムーズでないという問題点が生じる。
【００１２】
なお、上記問題点を解決するには、取得部Ａおよび取得部Ｂの両方へ常時電力供給することも考えられるが、これでは、消費電力が大きくなってしまう。
【００１３】
本発明は、上述の問題点を解決するためになされたものであって、その目的は、消費電力を抑えつつ、独立して取得される複数のコンテンツにおける再生の切り替えをスムーズに行うことを可能とするコンテンツ再生装置等を提供することである。
【課題を解決するための手段】
【００１４】
上述の課題を解決するために、この発明のある局面に従うコンテンツ再生装置は、電力が供給されている期間において動作し、コンテンツを取得するための第１取得部および第２取得部と、前記第１取得部へ電力を供給するための第１電源部と、前記第２取得部へ電力を供給するための第２電源部と、前記第１電源部および前記第２電源部の各々の電力供給を制御するための電源制御部と、前記第１取得部が取得するコンテンツである第１コンテンツ、および前記第２取得部が取得するコンテンツである第２コンテンツのいずれかを再生するための再生部と、前記第１コンテンツまたは前記第２コンテンツを前記再生部に再生させるための指示を受付けるための指示受付部とを備える。前記電源制御部は、前記指示受付部が前記第１コンテンツを前記再生部に再生させるための指示である第１指示を受付けた場合、前記第１電源部に前記第１取得部へ電力を供給させるとともに、前記第２取得部へ電力を供給させないように前記第２電源部を制御し、前記第１取得部は、前記第１電源部から電力が供給される期間において、前記第１コンテンツを取得し、前記再生部は、前記指示受付部が前記第１指示を受付けた場合、前記第１取得部が取得した前記第１コンテンツを再生し、前記電源制御部は、前記再生部が前記第１コンテンツを再生している再生期間において、前記第１コンテンツの再生状況に関する所定条件が満たされた場合、前記再生期間において、前記第２電源部に前記第２取得部へ電力を供給させ、前記第２取得部は、前記第２電源部から電力が供給される期間において、前記指示受付部が前記第２コンテンツを前記再生部に再生させるための指示である第２指示を受付けた場合、前記第２コンテンツを取得し、前記再生部は、前記第２取得部が取得した前記第２コンテンツを再生し、前記電源制御部は、前記指示受付部が前記第２指示を受付けた場合、前記第１電源部に前記第１取得部への電力供給を停止させる。
【００１５】
すなわち、指示受付部が第１コンテンツを再生部に再生させるための第１指示を受付けた場合、電源制御部は、第１電源部に第１取得部へ電力を供給させるとともに、第２取得部へ電力を供給させないように第２電源部を制御する。再生部は、第１取得部が取得した第１コンテンツを再生する。再生部が第１コンテンツを再生している再生期間において、第１コンテンツの再生状況に関する所定条件が満たされた場合、電源制御部は、再生期間において、第２電源部に第２取得部へ電力を供給させる。第２取得部は電力が供給される期間において、前記指示受付部が第２指示を受付けた場合、第２コンテンツを取得する。再生部は、第２取得部が取得した第２コンテンツを再生し、電源制御部は、指示受付部が第２指示を受付けた場合、第１電源部に第１取得部への電力供給を停止させる。
【００１６】
つまり、第１コンテンツが再生されている期間において、所定条件が満たされた場合、第２取得部へ電力が供給される。すなわち、第１コンテンツの再生中に、第２取得部に電力が供給され、第２取得部は動作可能になる。そして、指示受付部が第２指示を受付けた場合、再生部は、第２取得部が取得した第２コンテンツを再生する。
【００１７】
したがって、第１コンテンツから第２コンテンツへの再生の切り替えの際において、第２取得部は動作可能な状態であるため、第１コンテンツから第２コンテンツへの再生の切り替えをスムーズに行うことができる。第１コンテンツおよび第２コンテンツは、それぞれ、第１取得部および第２取得部により独立して取得されるコンテンツである。すなわち、独立して取得される２つのコンテンツにおける再生の切り替えをスムーズに行うことができる。
【００１８】
また、電源制御部は、指示受付部が第２指示を受付けた場合、第１電源部に第１取得部への電力供給を停止させる。
【００１９】
したがって、第１取得部および第２電源部の両方に電力が供給される期間は、所定条件が満たされた直後近辺から、指示受付部が第２指示を受付けた直後近辺までの期間である。そのため、第１取得部および第２電源部の両方に電力が供給される期間、すなわち、消費電力が大きい期間を極力短くすることができる。
【００２０】
以上により、消費電力を抑えつつ、独立して取得される複数のコンテンツにおける再生の切り替えをスムーズに行うことができる。
【００２１】
また、前記所定条件は、前記第１コンテンツのうちの終了近傍の部分を、前記再生部が再生しているという条件であり、前記電源制御部は、前記所定条件が満たされたか否かを判定することが好ましい。
【００２２】
また、前記第１取得部は、外部から配信されるコンテンツを受信することにより該コンテンツを取得し、前記所定条件は、前記第１取得部が受信する前記第１コンテンツの受信感度が所定値以下である期間が所定時間継続したという条件であり、前記所定値は、前記第１取得部が受信する前記第１コンテンツを前記再生部が正常に再生できない場合における値であり、前記電源制御部は、前記所定条件が満たされたか否かを判定することが好ましい。
【００２３】
また、前記所定条件は、所定時間において前記再生部が再生するコンテンツを変更した回数が、所定の閾値以上であるという条件であり、前記電源制御部は、前記所定条件が満たされたか否かを判定することが好ましい。
【００２４】
また、前記第１コンテンツは、放送波により提供されるコンテンツであることが好ましい。
【００２５】
また、前記第２コンテンツは、ネットワークにより提供されるコンテンツであることが好ましい。
【００２６】
また、前記第１コンテンツは、ネットワークにより提供されるコンテンツであることが好ましい。
【００２７】
また、前記第２コンテンツは、放送波により提供されるコンテンツであることが好ましい。
【００２８】
この発明の他の局面に従う電力制御方法は、電力が供給されている期間において動作し、コンテンツを取得するための第１取得部および第２取得部と、前記第１取得部へ電力を供給するための第１電源部と、前記第２取得部へ電力を供給するための第２電源部と、前記第１電源部および前記第２電源部の各々の電力供給を制御するための電源制御部と、前記第１取得部が取得するコンテンツである第１コンテンツ、および前記第２取得部が取得するコンテンツである第２コンテンツのいずれかを再生するための再生部と、前記第１コンテンツまたは前記第２コンテンツを前記再生部に再生させるための指示を受付けるための指示受付部とを備えるコンテンツ再生装置により実行される。電力制御方法は、前記指示受付部が前記第１コンテンツを前記再生部に再生させるための指示である第１指示を受付けた場合、前記電源制御部が、前記第１電源部に前記第１取得部へ電力を供給させるとともに、前記第２取得部へ電力を供給させないように前記第２電源部を制御するステップと、前記指示受付部が前記第１指示を受付けた場合、前記再生部が、前記第１取得部が取得した前記第１コンテンツを再生するステップと、前記再生部が前記第１コンテンツを再生している再生期間において、前記第１コンテンツの再生状況に関する所定条件が満たされた場合、前記電源制御部が、前記再生期間において、前記第２電源部に前記第２取得部へ電力を供給させるステップと、前記指示受付部が前記第２コンテンツを前記再生部に再生させるための指示である第２指示を受付けた場合、前記再生部が、前記第２取得部が取得した前記第２コンテンツを再生するステップと、前記指示受付部が前記第２指示を受付けた場合、前記電源制御部が、前記第１電源部に前記第１取得部への電力供給を停止させるステップとを含む。
【００２９】
なお、本発明は、このようなコンテンツ再生装置を構成する複数の構成要素の全てまたは一部を、システムＬＳＩ（Large Scale Integration：大規模集積回路）として実現してもよい。
【００３０】
また、本発明は、電力制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【発明の効果】
【００３１】
本発明により、消費電力を抑えつつ、独立して取得される複数のコンテンツにおける再生の切り替えをスムーズに行うことができる。
【図面の簡単な説明】
【００３２】
【図１】図１は、コンテンツ再生装置の構成を示すブロック図である。
【図２】図２は、コンテンツ再生処理のフローチャートである。
【図３】図３は、コンテンツ再生処理Ａのフローチャートである。
【図４】図４は、一例としてのコンテンツ再生装置の外観図である。
【図５】図５は、変形例におけるコンテンツ再生装置の構成を示す図である。
【発明を実施するための形態】
【００３３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３４】
＜第１の実施の形態＞
図１は、コンテンツ再生装置１０００の構成を示すブロック図である。
【００３５】
コンテンツ再生装置１０００は、コンテンツを再生可能な装置である。本明細書において、コンテンツは、映像および音声を含むコンテンツであるとする。なお、コンテンツは、映像および音声の一方を含むコンテンツであってもよい。
【００３６】
本実施の形態において、コンテンツは、一例として、放送コンテンツ、ネットワークコンテンツであるとする。放送コンテンツは、放送波により提供されるコンテンツである。放送コンテンツは、一例として、デジタル放送波により提供されるコンテンツである。放送コンテンツは、図示しない放送局等から送信される。デジタル放送波は、地上デジタル放送の規格に基づく放送波である。
【００３７】
なお、デジタル放送波は、地上デジタル放送に限定されず、他のデジタル放送の規格に基づく放送波であってもよい。
【００３８】
放送コンテンツは、ＭＰＥＧ２−ＴＳ（Transport Stream）規格に基づく符号化方式により符号化されているとする。なお、放送コンテンツは、ＭＰＥＧ２−ＴＳ規格に限定されず、他の方式により符号化されているコンテンツであってもよい。
【００３９】
なお、放送コンテンツは、ワンセグ放送により提供されるコンテンツであってもよい。この場合、放送コンテンツは、例えば、Ｈ．２６４／ＡＶＣ規格に基づく符号化方式により符号化されている。
【００４０】
以下においては、あるチャンネルの番組の放送コンテンツを、放送番組コンテンツという。放送番組コンテンツは、対応する番組に関する情報（以下、番組情報という）を含む。番組情報は、対応する番組の終了時刻を示す。なお、番組情報は、番組の終了時刻以外の情報（番組のタイトル、番組の内容等）も示す。
【００４１】
本実施の形態において、ネットワークコンテンツは、一例として、ネットワークに接続されたコンテンツサーバーから、無線通信によりストリーム配信されるコンテンツであるとする。無線通信は、例えば、無線ＬＡＮ（Wireless Local Area Network）を利用して行われる。なお、無線通信は、無線ＬＡＮに限定されず、その他の技術を利用した通信であってもよい。
【００４２】
ネットワークコンテンツは、例えば、ＭＰＥＧ２−ＴＳ規格に基づく符号化方式により符号化されているとする。
【００４３】
ネットワークコンテンツは、当該ネットワークコンテンツに関する情報（以下、ネットコンテンツ情報という）を含む。ネットコンテンツ情報は、ネットワークコンテンツの再生時間（長さ）を示す。以下においては、ネットワークコンテンツの再生時間を、コンテンツ長ともいう。
【００４４】
なお、ネットコンテンツ情報は、再生時間以外の情報（ネットワークコンテンツのタイトル、内容等）も示す。
【００４５】
コンテンツ再生装置１０００は、一例として、携帯電話である。なお、コンテンツ再生装置１０００は、携帯電話に限定されることはない。コンテンツ再生装置１０００は、例えば、ＰＤＡ（Personal Digital Assistant）であってもよい。
【００４６】
図１を参照して、コンテンツ再生装置１０００は、第１取得部１１１と、第２取得部１１２と、第１電源部１２１と、第２電源部１２２と、制御部１３０と、再生部１４０と、電源制御部１５０と、受信状態検出部１６１，１６２と、タイマー１７０と、指示受付部１８０とを備える。
【００４７】
第１電源部１２１は、電源制御部１５０からの指示に応じて、第１取得部１１１および受信状態検出部１６１へ電力を供給する。第１取得部１１１に供給される電力は、受信状態検出部１６１に供給される電力よりも大きい。なお、第１取得部１１１に供給される電力は、受信状態検出部１６１に供給される電力と同じであってもよい。
【００４８】
第１取得部１１１および受信状態検出部１６１の各々は、第１電源部１２１から供給される電力により動作する。すなわち、第１取得部１１１および受信状態検出部１６１の各々は、第１電源部１２１から電力が供給されている期間のみ動作する。
【００４９】
第２電源部１２２は、電源制御部１５０からの指示に応じて、第２取得部１１２および受信状態検出部１６２へ電力を供給する。第２取得部１１２に供給される電力は、受信状態検出部１６２に供給される電力よりも大きい。なお、第２取得部１１２に供給される電力は、受信状態検出部１６２に供給される電力と同じであってもよい。
【００５０】
第２取得部１１２および受信状態検出部１６２の各々は、第２電源部１２２から供給される電力により動作する。すなわち、第２取得部１１２および受信状態検出部１６２の各々は、第２電源部１２２から電力が供給されている期間のみ動作する。
【００５１】
なお、制御部１３０、再生部１４０、電源制御部１５０、タイマー１７０および指示受付部１８０の各々は、図示しない電源部から常時電力が供給されている。
【００５２】
第１取得部１１１は、外部から配信される第１コンテンツを受信することにより該第１コンテンツを取得する。
【００５３】
第１コンテンツは、放送番組コンテンツまたはネットワークコンテンツである。なお、放送番組コンテンツは、放送コンテンツである。
【００５４】
第１コンテンツが放送番組コンテンツである場合、第１取得部１１１は、放送受信機能を有する。放送受信機能は、放送局から送信されるデジタル放送波（放送コンテンツ）を受信し、受信したデジタル放送波を復調することにより復調信号を取得し、当該復調信号から、制御部１３０により指示されたチャンネルの放送番組コンテンツ（放送コンテンツ）を取得する機能である。
【００５５】
第１コンテンツがネットワークコンテンツである場合、第１取得部１１１は、無線通信機能を有する。無線通信機能は、前述したコンテンツサーバーから、無線通信によりストリーム配信されるネットワークコンテンツを、無線ＬＡＮを利用して受信する機能である。なお、無線通信機能は、上記に限定されず、他の規格に基づく無線技術を使用する機能であってもよい。
【００５６】
第１取得部１１１は、第１コンテンツを、再生部１４０へ送信する。
【００５７】
第１取得部１１１は、第１コンテンツを取得するための処理を行うために、受信状態検出部１６１に供給される電力より大きな電力により動作する。
【００５８】
第２取得部１１２は、外部から配信される第２コンテンツを受信することにより該第２コンテンツを取得する。第２コンテンツは、ネットワークコンテンツまたは放送番組コンテンツである。第２コンテンツがネットワークコンテンツである場合、第２取得部１１２は、前述した無線通信機能を有する。また、第２コンテンツが放送番組コンテンツである場合、第２取得部１１２は、前述した放送受信機能を有する。
【００５９】
第２取得部１１２は、第２コンテンツを、再生部１４０へ送信する。
【００６０】
第２取得部１１２は、第２コンテンツを取得するための処理を行うために、受信状態検出部１６２に供給される電力より大きな電力により動作する。
【００６１】
なお、第１取得部１１１および第２取得部１１２の少なくとも一方が取得するコンテンツは、上記コンテンツに限定されず、例えば、メモリカード等の記録媒体に記録されたコンテンツであってもよい。
【００６２】
制御部１３０は、詳細は後述するが、第１取得部１１１および第２取得部１１２を制御する。
【００６３】
再生部１４０は、受信する第１コンテンツおよび第２コンテンツのいずれかを再生する。再生部１４０は、デコーダー１４１と、表示部１４２と、スピーカー１４３とを含む。
【００６４】
表示部１４２は、文字や画像等を表示する機能を有する。表示部１４２は、ＬＣＤパネル（Liquid Crystal Display Panel）を使用した装置である。なお、表示部１４２は、上記以外の表示方式のパネルを使用した装置であってもよい。
【００６５】
スピーカー１４３は、音声を出力する。
【００６６】
デコーダー１４１は、コンテンツ復号再生処理を行う。コンテンツ復号再生処理では、デコーダー１４１が、コンテンツ（第１または第２コンテンツ）を所定単位で復号する。当該所定単位は、例えば、１つのＧＯＰ（Group Of Pictures）である。デコーダー１４１は、コンテンツ（第１または第２コンテンツ）を所定単位で復号することにより映像データおよび音声データを得る。
【００６７】
デコーダー１４１は、映像データおよび音声データを取得する毎に、取得した映像データおよび音声データを、それぞれ、表示部１４２およびスピーカー１４３へ送信する。
【００６８】
表示部１４２は、受信した映像データに基づく映像を表示する。また、スピーカー１４３は、受信した音声データに基づく音声を出力する。これにより、コンテンツの一部が再生される。
【００６９】
デコーダー１４１は、コンテンツを所定単位で復号する処理を、当該コンテンツ全体の復号が終了するまで繰り返し行う。
【００７０】
以上のコンテンツ復号再生処理により、コンテンツ（第１または第２コンテンツ）全体が再生される。
【００７１】
また、コンテンツ復号再生処理では、デコーダー１４１が、第１または第２コンテンツを復号することにより、前述した番組情報またはネットコンテンツ情報を得る。そして、デコーダー１４１は、番組情報が示す番組の終了時刻、またはネットコンテンツ情報が示すコンテンツ長を、電源制御部１５０に通知する。
【００７２】
電源制御部１５０は、詳細は後述するが、第１電源部１２１および第２電源部１２２を制御する。また、電源制御部１５０は、第１電源部１２１および第２電源部１２２の各々の電力の供給状態を常に把握している。
【００７３】
受信状態検出部１６１は、第１取得部１１１が受信する第１コンテンツの受信状態を常に監視する。具体的には、受信状態検出部１６１は、第１取得部１１１が受信する第１コンテンツの受信感度を所定時間経過（例えば、１秒）毎に測定する。なお、受信感度の測定は、周知な技術により行われる。
【００７４】
以下においては、第１コンテンツの受信感度を、第１受信感度という。第１受信感度は、例えば、ＢＥＲ（Bit Error Rate）で示される。
【００７５】
受信状態検出部１６１は、第１受信感度を測定する毎に、最新の第１受信感度を、電源制御部１５０へ通知する。
【００７６】
受信状態検出部１６２は、第２取得部１１２が受信する第２コンテンツの受信状態を常に監視する。具体的には、受信状態検出部１６２は、第２取得部１１２が受信する第２コンテンツの受信感度を所定時間経過（例えば、１秒）毎に測定する。なお、受信感度の測定は、周知な技術により行われる。
【００７７】
以下においては、第２コンテンツの受信感度を、第２受信感度という。第２受信感度は、例えば、ＢＥＲ（Bit Error Rate）で示される。
【００７８】
受信状態検出部１６２は、第２受信感度を測定する毎に、最新の第２受信感度を、電源制御部１５０へ通知する。
【００７９】
タイマー１７０は、現在時刻を計測する。タイマー１７０は、現在時刻が変化する毎に、変化後の最新の現在時刻を、電源制御部１５０へ通知する。
【００８０】
指示受付部１８０は、コンテンツ再生装置１０００の外部に設けられた、図示しないボタンの操作（指示）を受付ける。当該ボタンの操作は、ユーザにより行われる操作である。以下においては、コンテンツ再生装置１０００の外部に設けられた、図示しないボタンの操作を、インターフェース操作Ｍという。
【００８１】
インターフェース操作Ｍは、ユーザにより行われる操作である。すなわち、指示受付部１８０は、ユーザによる操作（指示）を受付ける。指示受付部１８０は、インターフェース操作Ｍ（指示）を受付けると、当該インターフェース操作Ｍの情報を、制御部１３０および電源制御部１５０へ送信する。これにより、制御部１３０および電源制御部１５０の各々は、指示受付部１８０が受付けたインターフェース操作Ｍ（指示）に対応する処理を行う。
【００８２】
次に、コンテンツ再生装置１０００においてコンテンツを再生するための処理（以下、コンテンツ再生処理という）について説明する。
【００８３】
本実施の形態では、第１コンテンツおよび第２コンテンツは、それぞれ、放送番組コンテンツおよびネットワークコンテンツであるとする。
【００８４】
ここで、コンテンツ再生処理が行われる前は、コンテンツ再生装置１０００の電源はオフであるとする。
【００８５】
まず、電源オン操作が行われる。電源オン操作は、コンテンツ再生装置１０００の電源をオンにするためのインターフェース操作Ｍである。電源オン操作は、例えば、電源ボタンを押下する操作である。
【００８６】
これにより、コンテンツ再生装置１０００の電源がオンになる。コンテンツ再生装置１０００の電源がオンになると、表示部１４２に、メニュー画像としての再生コンテンツ選択画像が表示される。再生コンテンツ選択画像は、第１コンテンツおよび第２コンテンツのいずれかを再生対象のコンテンツとして選択するための画像である。
【００８７】
コンテンツ再生装置１０００の電源がオンになると、コンテンツ再生装置１０００に含まれる第１取得部１１１、受信状態検出部１６１、第２取得部１１２および受信状態検出部１６２以外の各部には電力が供給され、当該各部は前述した処理等を行う。電力が供給される当該各部は、制御部１３０、再生部１４０、電源制御部１５０、タイマー１７０および指示受付部１８０である。すなわち、コンテンツ再生装置１０００の電源がオンになった直後において、第１取得部１１１、受信状態検出部１６１、第２取得部１１２および受信状態検出部１６２には電力が供給されない。
【００８８】
この場合、タイマー１７０は、現在時刻が変化する毎に、変化後の最新の現在時刻を、電源制御部１５０へ通知する。
【００８９】
再生コンテンツ選択画像が表示されると、コンテンツ再生処理が行われる。
【００９０】
図２は、コンテンツ再生処理のフローチャートである。
【００９１】
ステップＳ１１では、指示受付部１８０が第１コンテンツ再生操作を受付けたか否かを判定する。第１コンテンツ再生操作は、第１コンテンツをコンテンツ再生装置１０００（再生部１４０）に再生させるためのインターフェース操作Ｍである。すなわち、第１コンテンツ再生操作は、第１コンテンツをコンテンツ再生装置１０００に再生させるための指示（以下、第１指示ともいう）である。
【００９２】
ステップＳ１１において、ＹＥＳならば処理はステップＳ１１０に移行する。一方、ステップＳ１１において、ＮＯならば、処理はステップＳ１２に移行する。
【００９３】
ステップＳ１２では、指示受付部１８０が第２コンテンツ再生操作を受付けたか否かを判定する。第２コンテンツ再生操作は、第２コンテンツをコンテンツ再生装置１０００に再生させるためのインターフェース操作Ｍである。すなわち、第２コンテンツ再生操作は、第２コンテンツをコンテンツ再生装置１０００（再生部１４０）に再生させるための指示（以下、第２指示ともいう）である。
【００９４】
ステップＳ１２において、ＹＥＳならば処理は後述するステップＳ２１０に移行する。一方、ステップＳ１２において、ＮＯならば、再度、ステップＳ１１の処理が行われる。
【００９５】
ここで、ユーザにより、第１コンテンツ再生操作（第１指示）が行われたとする。
【００９６】
この場合、指示受付部１８０は、第１コンテンツ再生操作（第１指示）を受付ける。そして、指示受付部１８０は、第１コンテンツ再生操作の情報を、制御部１３０および電源制御部１５０へ送信する。この場合、処理はステップＳ１１０に移行する。
【００９７】
ステップＳ１１０では、電源制御部１５０が、第１電力供給指示を、第１電源部１２１へ送信する。第１電力供給指示は、第１取得部１１１および受信状態検出部１６１へ電力を供給するための指示である。
【００９８】
第１電源部１２１は、第１電力供給指示を受信すると、第１取得部１１１および受信状態検出部１６１へ電力を供給する。
【００９９】
第１取得部１１１は、電力が供給されると、第１コンテンツを取得可能な状態になる。このとき、後述する第２コンテンツ再生処理が実行されている場合、第１取得部１１１は、第２コンテンツの再生中に、第１コンテンツを取得可能な状態になる。
【０１００】
受信状態検出部１６１は、電力が供給されている期間、前述したように、所定時間経過毎に第１受信感度を測定し、第１受信感度を測定する毎に、最新の第１受信感度を、電源制御部１５０へ通知する。
【０１０１】
また、電源制御部１５０は、第１電力供給指示の送信後、第２電力供給不可指示を、第２電源部１２２へ送信する。第２電力供給不可指示は、第２取得部１１２へ電力供給を行うことを不可とする指示である。すなわち、第２電力供給不可指示は、第２電源部１２２に第２取得部１１２へ電力を供給させないようにする指示である。
【０１０２】
第２電源部１２２は、第２電力供給不可指示を受信したときに、第２取得部１１２へ電力を供給している場合、第２取得部１１２への電力の供給を停止する。なお、第２電源部１２２は、第２電力供給不可指示を受信したときに、第２取得部１１２へ電力を供給していない場合は、何も行わない。
【０１０３】
ステップＳ１２０では、第１コンテンツ再生処理が実行される。第１コンテンツ再生処理は、他の処理とは独立して行われる。そして、処理は、ステップＳ１２１に移行する。
【０１０４】
なお、本実施の形態では、第１コンテンツは、放送番組コンテンツ（放送コンテンツ）である。
【０１０５】
第１コンテンツ再生処理では、まず、制御部１３０が、第１コンテンツ取得指示を、第１取得部１１１へ送信する。第１コンテンツ取得指示は、第１コンテンツを取得するための指示である。この場合、第１コンテンツ取得指示には、初期チャンネルが示される。初期チャンネルは、予め定められたチャンネルである。
【０１０６】
第１取得部１１１は、第１コンテンツ取得指示を受信すると、放送番組コンテンツ取得処理を行う。
【０１０７】
放送番組コンテンツ取得処理では、まず、第１取得部１１１が、放送局から送信されるデジタル放送波（放送コンテンツ）を受信し、受信したデジタル放送波を復調することにより復調信号を取得し、当該復調信号から、制御部１３０により指示されたチャンネル（初期チャンネル）の放送番組コンテンツを取得する。
【０１０８】
そして、第１取得部１１１は、放送番組コンテンツを、再生部１４０へ送信する。
【０１０９】
再生部１４０は、放送番組コンテンツを受信すると、放送番組コンテンツに対し、前述したコンテンツ復号再生処理を行うことにより、放送番組コンテンツを再生する。
【０１１０】
なお、再生部１４０は、後述する第２コンテンツ再生処理により、第２コンテンツの再生を行っているときに、放送番組コンテンツを受信すると、第２コンテンツ再生処理を終了する。すなわち、第１コンテンツの再生の開始とともに、第２コンテンツ再生処理は終了する。
【０１１１】
これにより、第２コンテンツから第１コンテンツへの再生の切り替えをスムーズに行うことができる。
【０１１２】
また、コンテンツ復号再生処理では、前述したように、デコーダー１４１が、放送番組コンテンツを復号することにより、前述した番組情報を取得し、番組情報が示す番組の終了時刻を、電源制御部１５０に通知する。
【０１１３】
なお、第１コンテンツ再生処理では、放送番組コンテンツが再生されているときに、ユーザによりチャンネル変更操作が行われると、以下のチャンネル変更処理が行われる。チャンネル変更操作は、チャンネルを変更するためのインターフェース操作Ｍである。チャンネル変更操作は、変更後のチャンネルを示す。
【０１１４】
チャンネル変更処理では、指示受付部１８０がチャンネル変更操作を受付け、チャンネル変更操作の情報を、制御部１３０へ送信する。チャンネル変更操作の情報は、変更後のチャンネルを示す。
【０１１５】
制御部１３０は、チャンネル変更操作の情報を受信すると、チャンネル変更指示を、第１取得部１１１へ送信する。チャンネル変更指示は、変更後のチャンネルを示す。
【０１１６】
第１取得部１１１は、チャンネル変更指示を受信すると、前述の放送番組コンテンツ取得処理と同様な処理を行うことにより、チャンネル変更指示に示される変更後のチャンネルの放送番組コンテンツを取得する。取得した当該放送番組コンテンツを再生するための処理は、前述した処理と同様なので詳細な説明は繰り返さない。これにより、放送番組コンテンツが、再生部１４０へ送信される。
【０１１７】
なお、この場合も、デコーダー１４１が、放送番組コンテンツを復号することにより、前述した番組情報を取得し、番組情報が示す番組の終了時刻を、電源制御部１５０に通知する。
【０１１８】
すなわち、電源制御部１５０は、デコーダー１４１から終了時刻が通知される回数が多い程、再生部１４０により再生されているコンテンツ（放送番組コンテンツ）が変更された回数が多いと判定する。すなわち、電源制御部１５０は、所定時間において、デコーダー１４１から終了時刻が通知される回数が、所定の閾値以上である場合、コンテンツの切替頻度が高い、すなわち、ザッピングされていると判定する。
【０１１９】
ステップＳ１２１では、電源制御部１５０が、第２電源部１２２が第２取得部１１２へ電力供給を行っているか否かを判定する。ステップＳ１２１において、ＹＥＳならば、処理はステップＳ１２２へ移行する。一方、ステップＳ１２１において、ＮＯならば、処理はステップＳ１３０に移行する。
【０１２０】
ステップＳ１２２では、電源制御部１５０が、第２電力供給停止指示を、第２電源部１２２へ送信する。第２電力供給停止指示は、第２取得部１１２および受信状態検出部１６２への電力供給を停止するための指示である。
【０１２１】
第２電源部１２２は、第２電力供給停止指示を受信すると、第２取得部１１２および受信状態検出部１６２への電力供給を停止する。第２取得部１１２および受信状態検出部１６２への電力供給が停止されるタイミングは、第１コンテンツの再生が開始された後である。そして、処理はステップＳ１３０に移行する。
【０１２２】
ステップＳ１３０では、第１受信感度低下期間が所定時間継続しているか否かが判定される。第１受信感度低下期間は、電源制御部１５０が受信状態検出部１６１から順次受信する最新の第１受信感度が第１所定値以下である期間である。第１所定値は、再生部１４０が、第１コンテンツを正常に再生できない場合における値である。第１コンテンツを正常に再生できない場合は、例えば、再生部１４０が第１コンテンツを再生することにより表示部１４２に表示される映像にノイズ等が生じる場合である。
【０１２３】
具体的には、電源制御部１５０が、順次受信する最新の第１受信感度が第１所定値以下である期間が所定時間（例えば、１分）継続したか否かを判定する。すなわち、電源制御部１５０は、第１コンテンツの再生状況に関する所定条件が満たされたか否かを判定する。この場合、所定条件は、順次受信する最新の第１受信感度が第１所定値以下である期間が所定時間（例えば、１分）継続したという条件である。
【０１２４】
ステップＳ１３０において、ＹＥＳならば、処理はステップＳ１４０に移行する。一方、ステップＳ１３０において、ＮＯならば、処理はステップＳ１３０Ｎに移行する。
【０１２５】
ステップＳ１３０でＹＥＳの場合は、映像にノイズが表示される期間が続くため、ユーザが、第２コンテンツをコンテンツ再生装置１０００に再生させる操作を行う可能性が高い場合である。すなわち、ステップＳ１３０でＹＥＳの場合は、第２コンテンツの再生が開始される可能性が高い場合である。
【０１２６】
ステップＳ１３０Ｎでは、コンテンツの切替頻度が高いか否かが判定される。具体的には、電源制御部１５０は、所定時間において、デコーダー１４１から終了時刻が通知される回数が、所定の閾値以上であるか否かを判定する。前述したように、電源制御部１５０は、デコーダー１４１から終了時刻が通知される回数が多い程、再生部１４０により再生されているコンテンツ（放送番組コンテンツ）が変更された回数が多いと判定する。
【０１２７】
電源制御部１５０は、所定時間において、デコーダー１４１から終了時刻が通知される回数が所定の閾値以上である場合、コンテンツ（放送番組コンテンツ）の切替頻度が高い、すなわち、ザッピングされていると判定する。
【０１２８】
ここで、一例として、所定時間は例えば５分であり、所定の閾値は、例えば、５であるとする。この場合、電源制御部１５０は、５分間において、デコーダー１４１から終了時刻が通知される回数が５回以上である場合、コンテンツの切替頻度が高い、すなわち、ザッピングされていると判定する。
【０１２９】
すなわち、電源制御部１５０は、第１コンテンツの再生状況に関する所定条件が満たされたか否かを判定する。この場合、所定条件は、所定時間において再生部１４０が再生するコンテンツを変更した回数が、所定の閾値以上であるという条件である。
【０１３０】
ステップＳ１３０Ｎにおいて、ＹＥＳならば、処理はステップＳ１４０に移行する。一方、ステップＳ１３０Ｎにおいて、ＮＯならば、処理は、ステップＳ１３１に移行する。
【０１３１】
ステップＳ１３０ＮでＹＥＳの場合は、コンテンツ（放送番組コンテンツ）の切替頻度が高い、すなわち、ザッピングされている状態であり、ユーザが、第２コンテンツをコンテンツ再生装置１０００に再生させる操作を行う可能性が高い場合である。すなわち、ステップＳ１３０ＮでＹＥＳの場合は、第２コンテンツの再生が開始される可能性が高い場合である。
【０１３２】
ステップＳ１３１では、第１コンテンツの終了付近が再生されているか否かが判定される。具体的には、電源制御部１５０が、第１コンテンツのうちの終了近傍の部分を、再生部１４０が再生しているか否かを判定する。さらに、具体的には、電源制御部１５０が、タイマー１７０から通知される最新の現在時刻から、デコーダー１４１から通知される最新の番組の終了時刻までの時間が、第１所定時間以下であるか否かが判定される。第１所定時間は、例えば、３０秒であるとする。
【０１３３】
すなわち、電源制御部１５０は、第１コンテンツの再生状況に関する所定条件が満たされたか否かを判定する。この場合、所定条件は、第１コンテンツのうちの終了近傍の部分を、再生部１４０が再生しているという条件である。
【０１３４】
ステップＳ１３１において、ＹＥＳならば、処理はステップＳ１４０に移行する。一方、ステップＳ１３１において、ＮＯならば、再度、ステップＳ１３０の処理が行われる。
【０１３５】
ステップＳ１３１でＹＥＳの場合は、第１コンテンツの再生が終了間近であるため、ユーザが、第２コンテンツをコンテンツ再生装置１０００に再生させる操作を行う可能性が高い場合である。すなわち、ステップＳ１３１でＹＥＳの場合は、第２コンテンツの再生が開始される可能性が高い場合である。
【０１３６】
ステップＳ１４０では、電源制御部１５０が、第２電力供給指示を、第２電源部１２２へ送信する。第２電力供給指示は、第２取得部１１２および受信状態検出部１６２へ電力を供給するための指示である。第２電源部１２２は、第２電力供給指示を受信すると、第２取得部１１２および受信状態検出部１６２へ電力を供給する。
【０１３７】
受信状態検出部１６２は、電力が供給されている期間、前述したように、所定時間経過毎に第２受信感度を測定し、第２受信感度を測定する毎に、最新の第２受信感度を、電源制御部１５０へ通知する。
【０１３８】
ステップＳ１５０では、指示受付部１８０が第２コンテンツ再生操作を受付けたか否かを判定する。第２コンテンツ再生操作は、第２コンテンツをコンテンツ再生装置１０００（再生部１４０）に再生させるためのインターフェース操作Ｍである。すなわち、第２コンテンツ再生操作は、第２コンテンツをコンテンツ再生装置１０００（再生部１４０）に再生させるための指示（以下、第２指示ともいう）である。
【０１３９】
ステップＳ１５０において、ＹＥＳならば、処理は後述するステップＳ２２０に移行する。一方、ステップＳ１５０において、ＮＯならば、処理はステップＳ１５１に移行する。
【０１４０】
ステップＳ１５１では、電源制御部１５０が、ステップＳ１４０の処理により第２取得部１１２へ電力が供給されてから、第２受付可能時間が経過したか否かを判定する。ここで、第２受付可能時間は、第２コンテンツ再生操作を受付可能な時間である。第２受付可能時間は、ユーザが少なくとも第２コンテンツ再生操作を行うのに必要な時間程度の短い時間である。第２受付可能時間は、例えば、１分である。
【０１４１】
ステップＳ１５１において、ＹＥＳならば、処理はステップＳ１６０に移行する。ステップＳ１５１において、ＮＯならば、再度、ステップＳ１５０の処理が行われる。
【０１４２】
ステップＳ１６０では、電源制御部１５０が、第２電力供給停止指示を、第２電源部１２２へ送信する。第２電力供給停止指示は、第２取得部１１２および受信状態検出部１６２への電力供給を停止するための指示である。
【０１４３】
第２電源部１２２は、第２電力供給停止指示を受信すると、第２取得部１１２および受信状態検出部１６２への電力供給を停止する。そして、再度、ステップＳ１３０の処理が行われる。
【０１４４】
以下においては、第１取得部１１１および第２取得部１１２の両方へ電力が供給される期間を、電力供給期間Ａという。電力供給期間Ａは、コンテンツ再生装置１０００の消費電力が大きい期間である。
【０１４５】
ステップＳ１４０〜Ｓ１６０の処理の間に、第２コンテンツ再生操作が行われない場合、電力供給期間Ａは、第２受付可能時間とほぼ同じ時間となる。
【０１４６】
以上のステップＳ１４０，Ｓ１５０，Ｓ１５１，Ｓ１６０の処理が行われることにより、電力供給期間Ａにおいて、第２コンテンツ再生操作がなかったとしても、消費電力が大きい電力供給期間Ａを、第２受付可能時間程度に抑えることができる。すなわち、ステップＳ１４０〜Ｓ１６０の処理が行われることにより、消費電力が大きい期間を極力短くすることができる。
【０１４７】
次に、ステップＳ１５０，Ｓ１５１の処理が繰り返し行われている期間において、第２コンテンツ再生操作が行われたとする。
【０１４８】
この場合、指示受付部１８０は、第２コンテンツ再生操作（第２指示）を受付ける。そして、指示受付部１８０は、第２コンテンツ再生操作の情報を、制御部１３０および電源制御部１５０へ送信する。この場合、処理はステップＳ２２０に移行する。
【０１４９】
ステップＳ２２０では、第２コンテンツ再生処理が実行される。第２コンテンツ再生処理は、他の処理とは独立して行われる。そして、処理は、ステップＳ２２１に移行する。
【０１５０】
なお、本実施の形態では、第２コンテンツは、ネットワークコンテンツである。
【０１５１】
第２コンテンツ再生処理では、まず、制御部１３０が、第２コンテンツ取得指示を、第２取得部１１２へ送信する。第２コンテンツ取得指示は、第２コンテンツを取得するための指示である。この場合、第２コンテンツ取得指示には、第２コンテンツを特定するための情報が示される。
【０１５２】
以下においては、コンテンツを特定するための情報を、コンテンツ特定情報という。上記の第２コンテンツを特定するための情報は、コンテンツ特定情報である。コンテンツ特定情報は、例えば、番号である。
【０１５３】
第２取得部１１２は、第２コンテンツ取得指示を受信すると、ネットワークコンテンツ取得処理を行う。
【０１５４】
ネットワークコンテンツ取得処理では、まず、第２取得部１１２が、前述したコンテンツサーバーに、コンテンツ特定情報により特定されるネットワークコンテンツを要求するためのコンテンツ要求を、当該コンテンツサーバーへ送信する。
【０１５５】
コンテンツサーバーは、コンテンツ要求を受信すると、要求されたネットワークコンテンツを、無線通信により、コンテンツ再生装置１０００へストリーム配信する。
【０１５６】
第２取得部１１２は、コンテンツサーバーからストリーム配信されるネットワークコンテンツを、無線通信機能により受信し、再生部１４０へ送信する。
【０１５７】
再生部１４０は、ネットワークコンテンツを受信すると、ネットワークコンテンツに対し、前述したコンテンツ復号再生処理を行うことにより、ネットワークコンテンツを再生する。
【０１５８】
なお、再生部１４０は、第１コンテンツ再生処理により、第１コンテンツの再生を行っているときに、ネットワークコンテンツを受信すると、第１コンテンツ再生処理を終了する。すなわち、第２コンテンツの再生の開始とともに、第１コンテンツ再生処理は終了する。
【０１５９】
これにより、第１コンテンツから第２コンテンツへの再生の切り替えをスムーズに行うことができる。
【０１６０】
また、コンテンツ復号再生処理では、前述したように、デコーダー１４１が、ネットワークコンテンツを復号することにより、前述したネットコンテンツ情報を取得し、ネットコンテンツ情報が示すコンテンツ長を、電源制御部１５０に通知する。コンテンツ長は、例えば、３０分である。
【０１６１】
以下においては、ネットワークコンテンツの再生が開始されてから、当該ネットワークコンテンツに対応するコンテンツ長だけ経過した時刻を、再生終了予定時刻という。
【０１６２】
なお、第２コンテンツ再生処理では、ネットワークコンテンツが再生されているときに、ユーザによりネットコンテンツ変更操作が行われると、以下のネットコンテンツ変更処理が行われる。ネットコンテンツ変更操作は、再生中のネットワークコンテンツを、他のネットワークコンテンツに変更するためのインターフェース操作Ｍである。ネットコンテンツ変更操作は、他のネットワークコンテンツを特定する変更コンテンツ特定情報を示す。
【０１６３】
ネットコンテンツ変更処理では、指示受付部１８０がネットコンテンツ変更操作を受付け、ネットコンテンツ変更操作の情報を、制御部１３０へ送信する。ネットコンテンツ変更操作の情報は、変更コンテンツ特定情報を示す。変更コンテンツ特定情報は、他のネットワークコンテンツを特定する情報（例えば、番号）である。
【０１６４】
制御部１３０は、ネットコンテンツ変更操作の情報を受信すると、ネットコンテンツ変更指示を、第２取得部１１２へ送信する。ネットコンテンツ変更指示は、他のネットワークコンテンツを特定する変更コンテンツ特定情報を示す。
【０１６５】
第２取得部１１２は、ネットコンテンツ変更指示を受信すると、前述のネットワークコンテンツ取得処理と同様な処理を行うことにより、ネットコンテンツ変更指示に示される変更コンテンツ特定情報により特定される他のネットワークコンテンツをコンテンツサーバーから取得する。取得した当該他のネットワークコンテンツを再生するための処理は、前述した処理と同様なので詳細な説明は繰り返さない。
【０１６６】
なお、この場合も、デコーダー１４１が、他のネットワークコンテンツを復号することにより、ネットコンテンツ情報を取得し、ネットコンテンツ情報が示すコンテンツ長を、電源制御部１５０に通知する。
【０１６７】
すなわち、電源制御部１５０は、デコーダー１４１からコンテンツ長が通知される回数が多い程、再生部１４０により再生されているコンテンツ（ネットワークコンテンツ）が変更された回数が多いと判定する。すなわち、電源制御部１５０は、所定時間において、デコーダー１４１からコンテンツ長が通知される回数が、所定の閾値以上である場合、コンテンツの切替頻度が高い、すなわち、ザッピングされていると判定する。
【０１６８】
ステップＳ２２１では、電源制御部１５０が、第１電源部１２１が第１取得部１１１へ電力供給を行っているか否かを判定する。ステップＳ２２１において、ＹＥＳならば、処理はステップＳ２２２へ移行する。ステップＳ２２１でＹＥＳの場合は、少なくともステップＳ１１０，Ｓ１５０の処理が行われた後、ステップＳ２２０の処理が行われる場合である。
【０１６９】
一方、ステップＳ２２１において、ＮＯならば、処理はステップＳ２３０に移行する。
【０１７０】
ステップＳ２２２では、電源制御部１５０が、第１電力供給停止指示を、第１電源部１２１へ送信する。第１電力供給停止指示は、第１取得部１１１および受信状態検出部１６１への電力供給を停止するための指示である。
【０１７１】
第１電源部１２１は、第１電力供給停止指示を受信すると、第１取得部１１１および受信状態検出部１６１への電力供給を停止する。第１取得部１１１および受信状態検出部１６１への電力供給が停止されるタイミングは、第２コンテンツの再生が開始された後である。そして、処理はステップＳ２３０に移行する。
【０１７２】
ステップＳ２３０では、第２受信感度低下期間が所定時間継続しているか否かが判定される。第２受信感度低下期間は、電源制御部１５０が受信状態検出部１６２から順次受信する最新の第２受信感度が第２所定値以下である期間である。第２所定値は、再生部１４０が、第２コンテンツを正常に再生できない場合における値である。第２コンテンツを正常に再生できない場合は、例えば、再生部１４０が第２コンテンツを再生することにより表示部１４２に表示される映像にノイズ等が生じる場合である。
【０１７３】
具体的には、電源制御部１５０が、順次受信する最新の第２受信感度が第２所定値以下である期間が所定時間（例えば、１分）継続したか否かを判定する。すなわち、電源制御部１５０は、第２コンテンツの再生状況に関する所定条件が満たされたか否かを判定する。この場合、所定条件は、順次受信する最新の第２受信感度が第２所定値以下である期間が所定時間（例えば、１分）継続したという条件である。
【０１７４】
ステップＳ２３０において、ＹＥＳならば、処理はステップＳ２４０に移行する。一方、ステップＳ２３０において、ＮＯならば、処理はステップＳ２３０Ｎに移行する。
【０１７５】
ステップＳ２３０でＹＥＳの場合は、映像にノイズが表示される期間が続くため、ユーザが、第１コンテンツをコンテンツ再生装置１０００に再生させる操作を行う可能性が高い場合である。すなわち、ステップＳ２３０でＹＥＳの場合は、第１コンテンツの再生が開始される可能性が高い場合である。
【０１７６】
ステップＳ２３０Ｎでは、コンテンツの切替頻度が高いか否かが判定される。具体的には、電源制御部１５０は、所定時間において、デコーダー１４１からコンテンツ長が通知される回数が、所定の閾値以上であるか否かを判定する。前述したように、電源制御部１５０は、デコーダー１４１からコンテンツ長が通知される回数が多い程、再生部１４０により再生されているコンテンツ（ネットワークコンテンツ）が変更された回数が多いと判定する。
【０１７７】
電源制御部１５０は、所定時間において、デコーダー１４１からコンテンツ長が通知される回数が所定の閾値以上である場合、コンテンツ（ネットワークコンテンツ）の切替頻度が高い、すなわち、ザッピングされていると判定する。
【０１７８】
ここで、所定時間は例えば５分であり、所定の閾値は、例えば、５であるとする。この場合、電源制御部１５０は、５分間において、デコーダー１４１からコンテンツ長が通知される回数が５回以上である場合、コンテンツの切替頻度が高い、すなわち、ザッピングされていると判定する。
【０１７９】
すなわち、電源制御部１５０は、第２コンテンツの再生状況に関する所定条件が満たされたか否かを判定する。この場合、所定条件は、所定時間において再生部１４０が再生するコンテンツを変更した回数が、所定の閾値以上であるという条件である。
【０１８０】
ステップＳ２３０Ｎにおいて、ＹＥＳならば、処理はステップＳ２４０に移行する。一方、ステップＳ２３０Ｎにおいて、ＮＯならば、処理は、ステップＳ２３１に移行する。
【０１８１】
ステップＳ２３０ＮでＹＥＳの場合は、コンテンツ（ネットワークコンテンツ）の切替頻度が高い、すなわち、ザッピングされている状態であり、ユーザが、第１コンテンツをコンテンツ再生装置１０００に再生させる操作を行う可能性が高い場合である。すなわち、ステップＳ２３０ＮでＹＥＳの場合は、第１コンテンツの再生が開始される可能性が高い場合である。
【０１８２】
ステップＳ２３１では、第２コンテンツの終了付近が再生されているか否かが判定される。具体的には、電源制御部１５０が、第２コンテンツのうちの終了近傍の部分を、再生部１４０が再生しているか否かを判定する。さらに、具体的には、電源制御部１５０が、タイマー１７０から通知される最新の現在時刻から、再生中のネットワークコンテンツに対応する再生終了予定時刻までの時間が、第２所定時間以下であるか否かが判定される。第２所定時間は、例えば、３０秒であるとする。
【０１８３】
すなわち、電源制御部１５０は、第２コンテンツの再生状況に関する所定条件が満たされたか否かを判定する。この場合、所定条件は、第２コンテンツのうちの終了近傍の部分を、再生部１４０が再生しているという条件である。
【０１８４】
ステップＳ２３１において、ＹＥＳならば、処理はステップＳ２４０に移行する。一方、ステップＳ２３１において、ＮＯならば、再度、ステップＳ２３０の処理が行われる。
【０１８５】
ステップＳ２３１でＹＥＳの場合は、第２コンテンツの再生が終了間近であるため、ユーザが、第１コンテンツをコンテンツ再生装置１０００に再生させる操作を行う可能性が高い場合である。すなわち、ステップＳ２３１でＹＥＳの場合は、第１コンテンツの再生が開始される可能性が高い場合である。
【０１８６】
ステップＳ２４０では、電源制御部１５０が、第１電力供給指示を、第１電源部１２１へ送信する。第１電力供給指示は、第１取得部１１１および受信状態検出部１６１へ電力を供給するための指示である。
【０１８７】
第１電源部１２１は、第１電力供給指示を受信すると、第１取得部１１１および受信状態検出部１６１へ電力を供給する。
【０１８８】
受信状態検出部１６１は、電力が供給されている期間、前述したように、所定時間経過毎に第１受信感度を測定し、第１受信感度を測定する毎に、最新の第１受信感度を、電源制御部１５０へ通知する。
【０１８９】
ステップＳ２５０では、指示受付部１８０が前述した第１コンテンツ再生操作（第１指示）を受付けたか否かを判定する。ステップＳ２５０において、ＹＥＳならば、再度、ステップＳ１２０の処理が行われる。一方、ステップＳ２５０において、ＮＯならば、処理はステップＳ２５１に移行する。
【０１９０】
ステップＳ２５１では、電源制御部１５０が、ステップＳ２４０の処理により第１取得部１１１へ電力が供給されてから、第１受付可能時間が経過したか否かを判定する。ここで、第１受付可能時間は、第１コンテンツ再生操作を受付可能な時間である。第１受付可能時間は、ユーザが少なくとも第１コンテンツ再生操作を行うのに必要な時間程度の短い時間である。第１受付可能時間は、例えば、１分である。
【０１９１】
ステップＳ２５１において、ＹＥＳならば、処理はステップＳ２６０に移行する。ステップＳ２５１において、ＮＯならば、再度、ステップＳ２５０の処理が行われる。
【０１９２】
ステップＳ２６０では、電源制御部１５０が、第１電力供給停止指示を、第１電源部１２１へ送信する。第１電力供給停止指示は、第１取得部１１１および受信状態検出部１６１への電力供給を停止するための指示である。
【０１９３】
第１電源部１２１は、第１電力供給停止指示を受信すると、第１取得部１１１および受信状態検出部１６１への電力供給を停止する。そして、再度、ステップＳ２３０の処理が行われる。
【０１９４】
前述したように、第１取得部１１１および第２取得部１１２の両方へ電力が供給される期間は、電力供給期間Ａである。電力供給期間Ａは、消費電力が大きい期間である。
【０１９５】
ステップＳ２４０〜Ｓ２６０の処理の間に、第１コンテンツ再生操作が行われない場合、電力供給期間Ａは、第１受付可能時間とほぼ同じ時間となる。
【０１９６】
以上のステップＳ２４０，Ｓ２５０，Ｓ２５１，Ｓ２６０の処理が行われることにより、電力供給期間Ａにおいて、第１コンテンツ再生操作がなかったとしても、消費電力が大きい電力供給期間Ａを、第１受付可能時間程度に抑えることができる。すなわち、ステップＳ２４０〜Ｓ２６０の処理が行われることにより、消費電力が大きい期間を極力短くすることができる。
【０１９７】
ここで、ステップＳ２５０，Ｓ２５１の処理が繰り返し行われている期間において、第１コンテンツ再生操作が行われたとする。
【０１９８】
この場合、指示受付部１８０は、第１コンテンツ再生操作（第１指示）を受付ける。そして、指示受付部１８０は、第１コンテンツ再生操作の情報を、制御部１３０および電源制御部１５０へ送信する。この場合、処理はステップＳ１２０に移行する。
【０１９９】
ステップＳ１２０では、前述した第１コンテンツ再生処理が実行される。第１コンテンツ再生処理は前述したので詳細な説明は繰り返さない。第１コンテンツ再生処理により、第２コンテンツから第１コンテンツへの再生の切り替えをスムーズに行うことができる。
【０２００】
その後、前述したステップＳ１２１，Ｓ１２２の処理が行われることにより、第２取得部１１２および受信状態検出部１６２への電力供給が停止される。
【０２０１】
なお、前述のステップＳ１２において、ＹＥＳと判定された場合、処理はステップＳ２１０に移行する。
【０２０２】
ステップＳ２１０では、電源制御部１５０が、第２電力供給指示を、第２電源部１２２へ送信する。第２電力供給指示は、第２取得部１１２および受信状態検出部１６２へ電力を供給するための指示である。
【０２０３】
第２電源部１２２は、第２電力供給指示を受信すると、第２取得部１１２および受信状態検出部１６２へ電力を供給する。
【０２０４】
第２取得部１１２は、電力が供給されると、第２コンテンツを取得可能な状態になる。このとき、第１コンテンツ再生処理が実行されている場合、第２取得部１１２は、第１コンテンツの再生中に、第２コンテンツを取得可能な状態になる。
【０２０５】
受信状態検出部１６２は、電力が供給されている期間、前述したように、所定時間経過毎に第２受信感度を測定し、第２受信感度を測定する毎に、最新の第２受信感度を、電源制御部１５０へ通知する。
【０２０６】
また、電源制御部１５０は、第２電力供給指示の送信後、第１電力供給不可指示を、第１電源部１２１へ送信する。第１電力供給不可指示は、第１取得部１１１へ電力供給を行うことを不可とする指示である。すなわち、第１電力供給不可指示は、第１電源部１２１に第１取得部１１１へ電力を供給させないようにする指示である。
【０２０７】
第１電源部１２１は、第１電力供給不可指示を受信したときに、第１取得部１１１へ電力を供給している場合、第１取得部１１１への電力の供給を停止する。なお、第１電源部１２１は、第１電力供給不可指示を受信したときに、第１取得部１１１へ電力を供給していない場合は、何も行わない。
【０２０８】
以上説明したように、本実施の形態においては、第１コンテンツの再生中において、所定条件が満たされた場合（Ｓ１３０、Ｓ１３０ＮまたはＳ１３１でＹＥＳ）、第２コンテンツを取得するための第２取得部１１２へ電力が供給される。すなわち、第１コンテンツの再生中に、第２取得部１１２に電力が供給され、第２取得部１１２が動作可能になる。
【０２０９】
そして、第２コンテンツ再生操作が行われた後、第２コンテンツ再生処理が実行されることにより、第１コンテンツから第２コンテンツへの再生の切り替えをスムーズに行うことができる。第１コンテンツおよび第２コンテンツは、それぞれ、第１取得部１１１および第２取得部１１２により独立して取得されるコンテンツである。すなわち、独立して取得される２つのコンテンツにおける再生の切り替えをスムーズに行うことができる。
【０２１０】
また、第２コンテンツの再生が開始された後に、第１取得部１１１および受信状態検出部１６１への電力供給が停止される。したがって、消費電力が大きい電力供給期間Ａを極力短くすることができる。
【０２１１】
すなわち、消費電力を抑えつつ、独立して取得される複数のコンテンツにおける再生の切り替えをスムーズに行うことができる。
【０２１２】
また、第１取得部１１１または第２取得部１１２に対する、電力供給と電力供給の停止とを頻繁に繰り返すような電源制御が行われた場合には、かえって消費電力が上がる場合がある。そこで、本実施の形態では、上述のＳ１３０や、Ｓ２３０のステップで説明したように、所定条件（所定時間の継続）が満たされていて始めて電源供給できるように構成する。これにより、頻繁な電源制御による不用意な消費電力の上昇も抑えることができる。
【０２１３】
また、本実施の形態においては、第２コンテンツの再生中において、所定条件が満たされた場合（Ｓ２３０、Ｓ２３０ＮまたはＳ２３１でＹＥＳ）、第１コンテンツを取得するための第１取得部１１１へ電力が供給される。すなわち、第２コンテンツの再生中に、第１取得部１１１に電力が供給され、第１取得部１１１が動作可能になる。
【０２１４】
そして、第１コンテンツ再生操作が行われた後、第１コンテンツ再生処理が実行されることにより、第２コンテンツから第１コンテンツへの再生の切り替えをスムーズに行うことができる。すなわち、独立して取得される２つのコンテンツにおける再生の切り替えをスムーズに行うことができる。
【０２１５】
また、第１コンテンツの再生が開始された後に、第２取得部１１２および受信状態検出部１６２への電力供給が停止される。したがって、消費電力が大きい電力供給期間Ａを極力短くすることができる。
【０２１６】
すなわち、消費電力を抑えつつ、独立して取得される複数のコンテンツにおける再生の切り替えをスムーズに行うことができる。そのため、複数のコンテンツにおける再生の切り替えが行われた場合でも、ユーザは、ストレスなく、表示部１４２に表示される映像を視聴することができる。
【０２１７】
＜第１の実施の形態の変形例＞
本実施の形態の変形例では、第１コンテンツおよび第２コンテンツは、それぞれ、ネットワークコンテンツおよび放送番組コンテンツであるとする。この場合において、コンテンツを再生するための処理（以下、コンテンツ再生処理Ａという）について説明する。
【０２１８】
本実施の形態の変形例におけるコンテンツ再生装置は、図１のコンテンツ再生装置１０００である。そのため、コンテンツ再生装置１０００の構成および機能の詳細な説明は繰り返さない。
【０２１９】
ここで、コンテンツ再生処理Ａが行われる前は、コンテンツ再生装置１０００の電源はオフであるとする。
【０２２０】
まず、第１の実施の形態と同様に、電源オン操作が行われる。これにより、コンテンツ再生装置１０００の電源がオンになり、表示部１４２に、前述した再生コンテンツ選択画像が表示される。
【０２２１】
コンテンツ再生装置１０００の電源がオンになると、コンテンツ再生装置１０００に含まれる第１取得部１１１、受信状態検出部１６１、第２取得部１１２および受信状態検出部１６２以外の各部には電力が供給され、当該各部は前述した処理等を行う。電力が供給される当該各部は、制御部１３０、再生部１４０、電源制御部１５０、タイマー１７０および指示受付部１８０である。すなわち、コンテンツ再生装置１０００の電源がオンになった直後において、第１取得部１１１、受信状態検出部１６１、第２取得部１１２および受信状態検出部１６２には電力が供給されない。
【０２２２】
この場合、タイマー１７０は、現在時刻が変化する毎に、変化後の最新の現在時刻を、電源制御部１５０へ通知する。
【０２２３】
再生コンテンツ選択画像が表示されると、コンテンツ再生処理Ａが行われる。前述したように、再生コンテンツ選択画像は、第１コンテンツおよび第２コンテンツのいずれかを再生対象のコンテンツとして選択するための画像である。
【０２２４】
図３は、コンテンツ再生処理Ａのフローチャートである。図３において、図２のステップ番号と同じステップ番号の処理は、第１の実施の形態で説明した処理と同様な処理が行われるので詳細な説明は繰り返さない。
【０２２５】
コンテンツ再生処理Ａでは、図２のコンテンツ再生処理と比較して、ステップＳ１２０，Ｓ１３１，Ｓ１３０Ｎ，Ｓ２２０，Ｓ２３０Ｎ，Ｓ２３１の代わりにステップＳ１２０Ａ，Ｓ１３１Ａ，Ｓ１３０Ａ，Ｓ２２０Ａ，Ｓ２３０Ａ，Ｓ２３１Ａが行われる点が異なる。
【０２２６】
ステップＳ１１，Ｓ１２の各々では、第１の実施の形態で説明した処理と同様な処理が行われる。
【０２２７】
ここで、第１コンテンツ再生操作（第１指示）が行われたとする。この場合、処理はステップＳ１１０に移行する。
【０２２８】
ステップＳ１１０では、第１の実施の形態で説明した処理と同様な処理が行われる。
【０２２９】
ステップＳ１２０Ａでは、第１コンテンツ再生処理Ａが実行される。第１コンテンツ再生処理Ａは、他の処理とは独立して行われる。そして、処理は、ステップＳ１２１に移行する。
【０２３０】
第１コンテンツ再生処理Ａは、図２のステップＳ２２０で行われる第２コンテンツ再生処理と同様であるので詳細な説明は繰り返さない。以下、簡単に説明する。
【０２３１】
第１コンテンツ再生処理Ａでは、まず、制御部１３０が、第１コンテンツ取得指示を、第１取得部１１１へ送信する。第１コンテンツ取得指示は、第１コンテンツを取得するための指示である。この場合、第１コンテンツ取得指示には、第１コンテンツを特定するためのコンテンツ特定情報が示される。
【０２３２】
第１取得部１１１は、第１コンテンツ取得指示を受信すると、ネットワークコンテンツ取得処理Ａを行う。
【０２３３】
ネットワークコンテンツ取得処理Ａでは、まず、第１取得部１１１が、前述したコンテンツサーバーに、コンテンツ特定情報により特定されるネットワークコンテンツを要求するためのコンテンツ要求を、当該コンテンツサーバーへ送信する。
【０２３４】
コンテンツサーバーは、コンテンツ要求を受信すると、要求されたネットワークコンテンツを、無線通信により、コンテンツ再生装置１０００へストリーム配信する。
【０２３５】
第１取得部１１１は、コンテンツサーバーからストリーム配信されるネットワークコンテンツを、無線通信機能により受信し、再生部１４０へ送信する。
【０２３６】
再生部１４０は、ネットワークコンテンツを受信すると、ネットワークコンテンツに対し、前述したコンテンツ復号再生処理を行うことにより、ネットワークコンテンツを再生する。
【０２３７】
なお、再生部１４０は、後述する第２コンテンツ再生処理Ａにより、第２コンテンツの再生を行っているときに、ネットワークコンテンツを受信すると、第２コンテンツ再生処理Ａを終了する。すなわち、第１コンテンツの再生の開始とともに、第２コンテンツ再生処理Ａは終了する。
【０２３８】
これにより、第２コンテンツから第１コンテンツへの再生の切り替えをスムーズに行うことができる。
【０２３９】
また、コンテンツ復号再生処理では、前述したように、デコーダー１４１が、ネットワークコンテンツを復号することにより、前述したネットコンテンツ情報を取得し、ネットコンテンツ情報が示すコンテンツ長を、電源制御部１５０に通知する。
【０２４０】
なお、第１コンテンツ再生処理Ａでは、ネットワークコンテンツが再生されているときに、ユーザによりネットコンテンツ変更操作が行われると、ネットコンテンツ変更処理Ａが行われる。ネットコンテンツ変更処理Ａは、前述したネットコンテンツ変更処理と同様な処理である。
【０２４１】
ネットコンテンツ変更処理Ａは、前述したネットコンテンツ変更処理の説明において、第２取得部１１２を第１取得部１１１と置き換えた説明の処理と同様であるので詳細な説明は繰り返さない。
【０２４２】
ネットコンテンツ変更処理Ａにより、電源制御部１５０は、デコーダー１４１からコンテンツ長が通知される回数が多い程、再生部１４０により再生されているコンテンツ（ネットワークコンテンツ）が変更された回数が多いと判定する。
【０２４３】
ステップＳ１２１，Ｓ１２２の各々では、第１の実施の形態で説明した処理と同様な処理が行われる。
【０２４４】
ステップＳ１３０では、第１の実施の形態で説明した処理と同様な処理が行われる。ステップＳ１３０において、ＹＥＳならば、処理はステップＳ１４０に移行する。一方、ステップＳ１３０において、ＮＯならば、処理はステップＳ１３０Ａに移行する。
【０２４５】
ステップＳ１３０Ａでは、図２のステップＳ２３０Ｎの処理と同様な処理が行われるので詳細な説明は行わない。以下、簡単に説明する。
【０２４６】
ステップＳ１３０Ａでは、コンテンツの切替頻度が高いか否かが判定される。具体的には、電源制御部１５０は、所定時間において、デコーダー１４１からコンテンツ長が通知される回数が、所定の閾値以上であるか否かを判定する。前述したように、電源制御部１５０は、デコーダー１４１からコンテンツ長が通知される回数が多い程、再生部１４０により再生されているコンテンツ（ネットワークコンテンツ）が変更された回数が多いと判定する。
【０２４７】
電源制御部１５０は、所定時間において、デコーダー１４１からコンテンツ長が通知される回数が所定の閾値以上である場合、コンテンツ（ネットワークコンテンツ）の切替頻度が高い、すなわち、ザッピングされていると判定する。
【０２４８】
すなわち、電源制御部１５０は、第１コンテンツの再生状況に関する所定条件が満たされたか否かを判定する。この場合、所定条件は、所定時間において再生部１４０が再生するコンテンツを変更した回数が、所定の閾値以上であるという条件である。
【０２４９】
ステップＳ１３０Ａにおいて、ＹＥＳならば、処理はステップＳ１４０に移行する。一方、ステップＳ１３０Ａにおいて、ＮＯならば、処理は、ステップＳ１３１Ａに移行する。
【０２５０】
ステップＳ１３１Ａでは、第１コンテンツの終了付近が再生されているか否かが判定される。具体的には、電源制御部１５０が、第１コンテンツのうちの終了近傍の部分を、再生部１４０が再生しているか否かを判定する。さらに、具体的には、電源制御部１５０が、タイマー１７０から通知される最新の現在時刻から、再生中のネットワークコンテンツに対応する再生終了予定時刻までの時間が、第１所定時間以下であるか否かが判定される。第１所定時間は、例えば、３０秒であるとする。
【０２５１】
すなわち、電源制御部１５０は、第１コンテンツの再生状況に関する所定条件が満たされたか否かを判定する。この場合、所定条件は、第１コンテンツのうちの終了近傍の部分を、再生部１４０が再生しているという条件である。
【０２５２】
ステップＳ１３１Ａにおいて、ＹＥＳならば、処理はステップＳ１４０に移行する。一方、ステップＳ１３１Ａにおいて、ＮＯならば、再度、ステップＳ１３０の処理が行われる。
【０２５３】
ステップＳ１４０では、第１の実施の形態で説明した処理と同様な処理が行われる。この処理により、第２電源部１２２は、第２電力供給指示を受信すると、第２取得部１１２および受信状態検出部１６２へ電力を供給する。
【０２５４】
ステップＳ１５０，Ｓ１５１，Ｓ１６０の各々では、第１の実施の形態で説明した処理と同様な処理が行われる。
【０２５５】
ここで、ステップＳ１５０，Ｓ１５１の処理が繰り返し行われている期間において、第２コンテンツ再生操作が行われたとする。この場合、ステップＳ２２０Ａの処理が行われる。
【０２５６】
ステップＳ２２０Ａでは、第２コンテンツ再生処理Ａが実行される。第２コンテンツ再生処理Ａは、他の処理とは独立して行われる。そして、処理は、ステップＳ２２１に移行する。
【０２５７】
第２コンテンツ再生処理Ａは、図２のステップＳ１２０で行われる第１コンテンツ再生処理と同様であるので詳細な説明は繰り返さない。以下、簡単に説明する。
【０２５８】
第２コンテンツ再生処理Ａでは、まず、制御部１３０が、第２コンテンツ取得指示を、第２取得部１１２へ送信する。
【０２５９】
第２取得部１１２は、第２コンテンツ取得指示を受信すると、放送番組コンテンツ取得処理Ａを行う。放送番組コンテンツ取得処理Ａは、前述の放送番組コンテンツ取得処理と同様なので詳細な説明は繰り返さない。以下、簡単に説明する。
【０２６０】
放送番組コンテンツ取得処理Ａでは、第２取得部１１２が、放送局から送信されるデジタル放送波（放送コンテンツ）を受信し、受信したデジタル放送波を復調することにより復調信号を取得し、当該復調信号から、制御部１３０により指示されたチャンネル（初期チャンネル）の放送番組コンテンツを取得する。
【０２６１】
そして、第２取得部１１２は、放送番組コンテンツを、再生部１４０へ送信する。
【０２６２】
再生部１４０は、放送番組コンテンツを受信すると、放送番組コンテンツに対し、前述したコンテンツ復号再生処理を行うことにより、放送番組コンテンツを再生する。
【０２６３】
なお、再生部１４０は、第１コンテンツ再生処理Ａにより、第１コンテンツの再生を行っているときに、放送番組コンテンツを受信すると、第１コンテンツ再生処理Ａを終了する。すなわち、第２コンテンツの再生の開始とともに、第１コンテンツ再生処理Ａは終了する。
【０２６４】
これにより、第１コンテンツから第２コンテンツへの再生の切り替えをスムーズに行うことができる。
【０２６５】
また、コンテンツ復号再生処理では、前述したように、デコーダー１４１が、放送番組コンテンツを復号することにより、前述した番組情報を取得し、番組情報が示す番組の終了時刻を、電源制御部１５０に通知する。
【０２６６】
なお、第２コンテンツ再生処理Ａでは、放送番組コンテンツが再生されているときに、ユーザによりチャンネル変更操作が行われると、チャンネル変更処理Ａが行われる。
【０２６７】
チャンネル変更処理Ａは、前述したチャンネル変更処理の説明において、第１取得部１１１を第２取得部１１２と置き換えた説明の処理と同様であるので詳細な説明は繰り返さない。
【０２６８】
チャンネル変更処理Ａにより、電源制御部１５０は、デコーダー１４１から終了時刻が通知される回数が多い程、再生部１４０により再生されているコンテンツ（放送番組コンテンツ）が変更された回数が多いと判定する。
【０２６９】
ステップＳ２２１，Ｓ２２２の各々では、第１の実施の形態で説明した処理と同様な処理が行われる。
【０２７０】
ステップＳ２３０では、第１の実施の形態で説明した処理と同様な処理が行われる。ステップＳ２３０において、ＹＥＳならば、処理はステップＳ２４０に移行する。一方、ステップＳ２３０において、ＮＯならば、処理はステップＳ２３０Ａに移行する。
【０２７１】
ステップＳ２３０Ａでは、ステップＳ１３０Ｎの処理と同様な処理が行われるので詳細な説明は行わない。以下、簡単に説明する。
【０２７２】
ステップＳ２３０Ａでは、コンテンツの切替頻度が高いか否かが判定される。具体的には、電源制御部１５０は、所定時間において、デコーダー１４１から終了時刻が通知される回数が、所定の閾値以上であるか否かを判定する。前述したように、電源制御部１５０は、デコーダー１４１から終了時刻が通知される回数が多い程、再生部１４０により再生されているコンテンツ（放送番組コンテンツ）が変更された回数が多いと判定する。
【０２７３】
すなわち、電源制御部１５０は、第２コンテンツの再生状況に関する所定条件が満たされたか否かを判定する。この場合、所定条件は、所定時間において再生部１４０が再生するコンテンツを変更した回数が、所定の閾値以上であるという条件である。
【０２７４】
ステップＳ２３０Ａにおいて、ＹＥＳならば、処理はステップＳ２４０に移行する。一方、ステップＳ２３０Ａにおいて、ＮＯならば、処理は、ステップＳ２３１Ａに移行する。
【０２７５】
ステップＳ２３１Ａでは、第２コンテンツの終了付近が再生されているか否かが判定される。具体的には、電源制御部１５０が、第２コンテンツのうちの終了近傍の部分を、再生部１４０が再生しているか否かを判定する。さらに、具体的には、電源制御部１５０が、タイマー１７０から通知される最新の現在時刻から、デコーダー１４１から通知される最新の番組の終了時刻までの時間が、第２所定時間以下であるか否かが判定される。第２所定時間は、例えば、３０秒であるとする。
【０２７６】
すなわち、電源制御部１５０は、第２コンテンツの再生状況に関する所定条件が満たされたか否かを判定する。この場合、所定条件は、第２コンテンツのうちの終了近傍の部分を、再生部１４０が再生しているという条件である。
【０２７７】
ステップＳ２３１Ａにおいて、ＹＥＳならば、処理はステップＳ２４０に移行する。一方、ステップＳ２３１Ａにおいて、ＮＯならば、再度、ステップＳ２３０の処理が行われる。
【０２７８】
ステップＳ２４０では、第１の実施の形態で説明した処理と同様な処理が行われる。この処理により、第１電源部１２１は、第１電力供給指示を受信すると、第１取得部１１１および受信状態検出部１６１へ電力を供給する。
【０２７９】
ステップＳ２５０，Ｓ２５１，Ｓ２６０の各々では、第１の実施の形態で説明した処理と同様な処理が行われる。
【０２８０】
ここで、ステップＳ２５０，Ｓ２５１の処理が繰り返し行われている期間において、第１コンテンツ再生操作が行われたとする。この場合、ステップＳ１２０Ａの処理が行われる。
【０２８１】
ステップＳ１２０Ａでは、前述した第１コンテンツ再生処理Ａが実行される。第１コンテンツ再生処理Ａは前述したので詳細な説明は繰り返さない。第１コンテンツ再生処理Ａにより、第２コンテンツから第１コンテンツへの再生の切り替えをスムーズに行うことができる。
【０２８２】
その後、前述したステップＳ１２１，Ｓ１２２が行われることにより、第２取得部１１２および受信状態検出部１６２への電力供給が停止される。
【０２８３】
以上説明したように、第１コンテンツおよび第２コンテンツが、それぞれ、ネットワークコンテンツおよび放送番組コンテンツである場合におけるコンテンツ再生処理Ａが行われる。
【０２８４】
これにより、本実施の形態の変形例においても、第１の実施の形態と同様な効果が得られる。すなわち、消費電力を抑えつつ、独立して取得される複数のコンテンツにおける再生の切り替えをスムーズに行うことができる。
【０２８５】
（コンテンツ再生装置の外観図）
図４は、一例としてのコンテンツ再生装置１０００の外観図である。図４は、コンテンツ再生装置１０００が、一例として、携帯電話である場合のコンテンツ再生装置１０００の外観図である。
【０２８６】
（その他の変形例）
第１コンテンツおよび第２コンテンツが、それぞれ、放送番組コンテンツおよびネットワークコンテンツである場合、第２取得部１１２は、第２コンテンツ再生処理におけるネットワークコンテンツ取得処理において、コンテンツサーバーにネットワークコンテンツを要求する処理を行っていたが、これに限定されない。
【０２８７】
例えば、図５に示されるように、コンテンツ再生装置１０００は、ネットワークコンテンツを取得するためのＵＲＬ（Uniform Resource Locator）を記憶するメモリ２００を備えてもよい。
【０２８８】
ここで、例えば、デコーダー１４１が、コンテンツ復号再生処理を行うことにより得られるネットコンテンツ情報（メタデータ）は、上記ＵＲＬも示すとする。
【０２８９】
この場合、デコーダー１４１は、コンテンツ復号再生処理によりＵＲＬが得られた場合、当該ＵＲＬを、メモリ２００に記憶させる。
【０２９０】
そして、例えば、図２のステップＳ２２０の第２コンテンツ再生処理において、第２取得部１１２が、メモリ２００に記憶されているＵＲＬにアクセスすることにより、ネットワークコンテンツを取得する。
【０２９１】
このような処理が行われることにより、第２取得部１１２は、迅速に、ネットワークコンテンツを取得することができる。
【０２９２】
また、図２のコンテンツ再生処理および図３のコンテンツ再生処理Ａの各々において判定される所定条件は、ステップＳ１３０，Ｓ１３０Ｎ，Ｓ１３１，Ｓ２３０，Ｓ２３０Ｎ，Ｓ２３１の処理で説明した条件に限定されない。
【０２９３】
当該所定条件は、再生中のコンテンツと異なる種類のコンテンツをコンテンツ再生装置１０００に再生させる操作を、ユーザが行う可能性が高くなる条件であればどのような条件であってもよい。
【０２９４】
なお、第１コンテンツ再生処理は、指示受付部１８０が第１コンテンツ再生操作を受付けた場合に実行されていたがこれに限定されない。指示受付部１８０が第１コンテンツ再生操作を受付けていなくても、第１取得部１１１が第１電源部１２１から電力が供給されることにより動作可能になった時点で、第１コンテンツ再生処理が実行されてもよい。これにより、指示受付部１８０が第１コンテンツ再生操作を受付けていなくても、第１取得部１１１は、第１コンテンツを取得する。
【０２９５】
また、第２コンテンツ再生処理は、指示受付部１８０が第２コンテンツ再生操作を受付けた場合に実行されていたがこれに限定されない。指示受付部１８０が第２コンテンツ再生操作を受付けていなくても、第２取得部１１２が第２電源部１２２から電力が供給されることにより動作可能になった時点で、第２コンテンツ再生処理が実行されてもよい。これにより、指示受付部１８０が第２コンテンツ再生操作を受付けていなくても、第２取得部１１２は、第２コンテンツを取得する。
【０２９６】
また、コンテンツ再生装置１０００が処理するコンテンツ（第１または第２コンテンツ）は、放送番組コンテンツおよびネットワークコンテンツに限定されることなく他のコンテンツであってもよい。コンテンツ再生装置１０００が処理するコンテンツは、例えば、記録媒体から読み出されたコンテンツ、映像のみのコンテンツ、音声のみのコンテンツであってもよい。
【０２９７】
また、第１コンテンツと第２コンテンツとは、異なる種類のコンテンツであるとしたが、第１コンテンツと第２コンテンツとは、同じ種類のコンテンツであってもよい。
【０２９８】
また、コンテンツ再生装置１０００は、２種類のコンテンツを取得するために、２つの取得部を備える構成としたが、これに限定されない。コンテンツ再生装置１０００は、３種類以上のコンテンツを取得するために、３つ以上の取得部を備える構成であってもよい。
【０２９９】
また、本発明におけるコンテンツ再生装置１０００について、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０３００】
また、上記のコンテンツ再生装置１０００を構成する複数の構成要素の全てまたは一部は、ハードウエアで構成されてもよい。また、上記のコンテンツ再生装置１０００を構成する構成要素の全てまたは一部は、ＣＰＵ（Central Processing Unit）等により実行されるプログラムのモジュールであってもよい。
【０３０１】
また、上記のコンテンツ再生装置１０００を構成する複数の構成要素の全てまたは一部は、１個のシステムＬＳＩ（Large Scale Integration：大規模集積回路）から構成されてもよい。システムＬＳＩは、複数の構成要素を１個のチップ上に集積して製造された超多機能ＬＳＩであり、具体的には、マイクロプロセッサ、ＲＯＭ（Read Only Memory）及びＲＡＭ（Random Access Memory）などを含んで構成されるコンピュータシステムである。
【０３０２】
例えば、図１において、制御部１３０および電源制御部１５０は、１個のシステムＬＳＩから構成されてもよい。
【０３０３】
また、本発明は、コンテンツ再生装置１０００が備える特徴的な構成部の動作をステップとする電力制御方法として実現してもよい。また、本発明は、そのような電力制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０３０４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０３０５】
本発明は、消費電力を抑えつつ、独立して取得される複数のコンテンツにおける再生の切り替えをスムーズに行うことを可能とするコンテンツ再生装置として、利用することができる。
【符号の説明】
【０３０６】
１１１  第１取得部
１１２  第２取得部
１２１  第１電源部
１２２  第２電源部
１３０  制御部
１４０  再生部
１４１  デコーダー
１４２  表示部
１４３  スピーカー
１５０  電源制御部
１６１，１６２  受信状態検出部
１７０  タイマー
１８０  指示受付部
２００  メモリ
１０００  コンテンツ再生装置 
【手続補正２】
【補正対象書類名】特許請求の範囲
【補正対象項目名】全文
【補正方法】変更
【補正の内容】
【特許請求の範囲】
【請求項１】
電力が供給されている期間において動作し、コンテンツを取得するための第１取得部および第２取得部と、
前記第１取得部へ電力を供給するための第１電源部と、
前記第２取得部へ電力を供給するための第２電源部と、
前記第１電源部および前記第２電源部の各々の電力供給を制御するための電源制御部と、
前記第１取得部が取得するコンテンツである第１コンテンツ、および前記第２取得部が取得するコンテンツである第２コンテンツのいずれかを再生するための再生部と、
前記電源制御部は、前記再生部が前記第１コンテンツを再生している再生期間において、前記第１コンテンツの再生状況に関する所定条件が満たされた場合、前記再生期間において、電力供給を停止していた前記第２電源部に前記第２取得部へ電力を供給させる、
コンテンツ再生装置。
【請求項２】
前記第２取得部は、前記第２電源部から電力が供給された後に、前記第２コンテンツを取得し、
前記再生部は、前記第２取得部が取得した前記第２コンテンツを再生し、
前記電源制御部は、前記再生部が前記第２コンテンツの再生を開始した後に、前記第１電源部に前記第１取得部への電力供給を停止させる、
請求項１に記載のコンテンツ再生装置。
【請求項３】
さらに、前記第１コンテンツまたは前記第２コンテンツを前記再生部に再生させるための指示を受付けるための指示受付部を備え、
前記電源制御部は、前記指示受付部が前記第１コンテンツを前記再生部に再生させるための指示である第１指示を受付けた場合、前記第１電源部に前記第１取得部へ電力を供給させるとともに、前記第２取得部へ電力を供給させないように前記第２電源部を制御し、
前記電源制御部は、前記指示受付部が前記第１指示を受付けて前記再生部が前記第１コンテンツを再生している再生期間において、前記第１コンテンツの再生状況に関する所定条件が満たされた場合、前記再生期間において、前記第２電源部に前記第２取得部へ電力を供給させ、
前記第２取得部は、前記第２電源部から電力が供給される期間において、前記指示受付部が前記第２コンテンツを前記再生部に再生させるための指示である第２指示を受付けた場合、前記第２コンテンツを取得する、
請求項２に記載のコンテンツ再生装置。
【請求項４】
前記所定条件は、前記第１コンテンツのうちの終了近傍の部分を、前記再生部が再生しているという条件である、
請求項１に記載のコンテンツ再生装置。
【請求項５】
前記所定条件は、前記第１取得部が受信する前記第１コンテンツの受信感度が所定値以下である期間が所定時間継続したという条件であり、
前記所定値は、前記第１取得部が受信する前記第１コンテンツを前記再生部が正常に再生できない場合における値である、
請求項１に記載のコンテンツ再生装置。
【請求項６】
前記所定条件は、所定時間において前記再生部が再生するコンテンツを変更した回数が、所定の閾値以上であるという条件である、
請求項１に記載のコンテンツ再生装置。
【請求項７】
前記第１コンテンツは、放送波により提供されるコンテンツである、
請求項１に記載のコンテンツ再生装置。
【請求項８】
前記第２コンテンツは、ネットワークにより提供されるコンテンツである、
請求項１に記載のコンテンツ再生装置。
【請求項９】
電力が供給されている期間において動作し、コンテンツを取得するための第１取得部および第２取得部と、
前記第１取得部へ電力を供給するための第１電源部と、
前記第２取得部へ電力を供給するための第２電源部と、
前記第１電源部および前記第２電源部の各々の電力供給を制御するための電源制御部と、
前記第１取得部が取得するコンテンツである第１コンテンツ、および前記第２取得部が取得するコンテンツである第２コンテンツのいずれかを再生するための再生部と、
を備えるコンテンツ再生装置により実行される電力制御方法であって、
前記再生部が前記第１コンテンツを再生している再生期間において、前記第１コンテンツの再生状況に関する所定条件が満たされた場合、前記電源制御部が、前記再生期間において、電力供給を停止していた前記第２電源部に前記第２取得部へ電力を供給させるステップと、
前記第２電源部から電力が供給された後に、前記再生部が、前記第２取得部が取得した前記第２コンテンツを再生するステップとを含む、
電力制御方法。 
【手続補正３】
【補正対象書類名】図面
【補正対象項目名】全図
【補正方法】変更
【補正の内容】
【図１】
2011067874.tif 000008
【図２】
2011067874.tif 000009
【図３】
2011067874.tif 000010
【図４】
2011067874.tif 000011
【図５】
2011067874.tif 000012
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
電力が供給されている期間において動作し、コンテンツを取得するための第１取得部および第２取得部と、
前記第１取得部へ電力を供給するための第１電源部と、
前記第２取得部へ電力を供給するための第２電源部と、
前記第１電源部および前記第２電源部の各々の電力供給を制御するための電源制御部と、
前記第１取得部が取得するコンテンツである第１コンテンツ、および前記第２取得部が取得するコンテンツである第２コンテンツのいずれかを再生するための再生部と、
前記電源制御部は、前記再生部が前記第１コンテンツを再生している再生期間において、前記第１コンテンツの再生状況に関する所定条件が満たされた場合、前記再生期間において、電力供給を停止していた前記第２電源部に前記第２取得部へ電力を供給させ、
前記所定条件は、前記第１コンテンツのうちの終了近傍の部分を、前記再生部が再生しているという条件である、
コンテンツ再生装置。
【請求項２】
前記第２取得部は、前記第２電源部から電力が供給された後に、前記第２コンテンツを取得し、
前記再生部は、前記第２取得部が取得した前記第２コンテンツを再生し、
前記電源制御部は、前記再生部が前記第２コンテンツの再生を開始した後に、前記第１電源部に前記第１取得部への電力供給を停止させる、
請求項１に記載のコンテンツ再生装置。
【請求項３】
さらに、前記第１コンテンツまたは前記第２コンテンツを前記再生部に再生させるための指示を受付けるための指示受付部を備え、
前記電源制御部は、前記指示受付部が前記第１コンテンツを前記再生部に再生させるための指示である第１指示を受付けた場合、前記第１電源部に前記第１取得部へ電力を供給させるとともに、前記第２取得部へ電力を供給させないように前記第２電源部を制御し、
前記電源制御部は、前記指示受付部が前記第１指示を受付けて前記再生部が前記第１コンテンツを再生している再生期間において、前記第１コンテンツの再生状況に関する所定条件が満たされた場合、前記再生期間において、前記第２電源部に前記第２取得部へ電力を供給させ、
前記第２取得部は、前記第２電源部から電力が供給される期間において、前記指示受付部が前記第２コンテンツを前記再生部に再生させるための指示である第２指示を受付けた場合、前記第２コンテンツを取得する、
請求項２に記載のコンテンツ再生装置。
【請求項４】
さらに、前記第１コンテンツまたは前記第２コンテンツを前記再生部に再生させるための指示を受付けるための指示受付部を備え、
前記電源制御部は、前記第２取得部へ電力が供給されてから、所定の時間が経過しても前記指示受付部が前記指示を受付けない場合に、前記第２電源部に前記第２取得部への電力供給を停止させる
請求項１に記載のコンテンツ再生装置。
【請求項５】
前記所定条件には、さらに、前記第１取得部が受信する前記第１コンテンツの受信感度が所定値以下である期間が所定時間継続したという条件が含まれ、
前記所定値は、前記第１取得部が受信する前記第１コンテンツを前記再生部が正常に再生できない場合における値である、
請求項１に記載のコンテンツ再生装置。
【請求項６】
前記所定条件には、さらに、所定時間において前記再生部が再生するコンテンツを変更した回数が、所定の閾値以上であるという条件が含まれる、
請求項１に記載のコンテンツ再生装置。
【請求項７】
前記第１コンテンツは、放送波により提供されるコンテンツである、
請求項１に記載のコンテンツ再生装置。
【請求項８】
前記第２コンテンツは、ネットワークにより提供されるコンテンツである、
請求項１に記載のコンテンツ再生装置。
【請求項９】
電力が供給されている期間において動作し、コンテンツを取得するための第１取得部および第２取得部と、
前記第１取得部へ電力を供給するための第１電源部と、
前記第２取得部へ電力を供給するための第２電源部と、
前記第１電源部および前記第２電源部の各々の電力供給を制御するための電源制御部と、
前記第１取得部が取得するコンテンツである第１コンテンツ、および前記第２取得部が取得するコンテンツである第２コンテンツのいずれかを再生するための再生部と、
を備えるコンテンツ再生装置により実行される電力制御方法であって、
前記再生部が前記第１コンテンツを再生している再生期間において、前記第１コンテンツの再生状況に関する所定条件が満たされた場合、前記電源制御部が、前記再生期間において、電力供給を停止していた前記第２電源部に前記第２取得部へ電力を供給させるステップと、
前記第２電源部から電力が供給された後に、前記再生部が、前記第２取得部が取得した前記第２コンテンツを再生するステップとを含む、
前記所定条件は、前記第１コンテンツのうちの終了近傍の部分を、前記再生部が再生しているという条件である、
電力制御方法。
【国際調査報告】
2011067874.tif 000013
2011067874.tif 000014